(57)【特許請求の範囲】
【請求項１】
複数のアンテナでパイロットシンボルを送信するための、無線送受信ユニット（ＷＴＲＵ）で実施される方法であって、
異なるチャネライゼーション符号を用いて複数のアンテナを介して主ＤＰＣＣＨ（ｄｅｄｉｃａｔｅｄ  ｐｈｙｓｉｃａｌ  ｃｏｎｔｒｏｌ  ｃｈａｎｎｅｌ）および少なくとも１つの副ＤＰＣＣＨを送信するステップであって、前記副ＤＰＣＣＨが、前記主ＤＰＣＣＨに関する長さ８のパイロットシンボルと同じであるパイロットシンボルを搬送する、ステップを含み、
必要とされる送信電力が前記ＷＴＲＵの最大許容送信電力を超えるという条件で、前記主ＤＰＣＣＨと前記副ＤＰＣＣＨとの間の電力比が前記電力のスケーリングの後も同じままであるように、電力のスケーリングが前記主ＤＰＣＣＨと前記副ＤＰＣＣＨとに等しく適用されることを特徴とする方法。
【請求項２】
前記ＷＴＲＵが圧縮モードで送信しているとき、前記副ＤＰＣＣＨで同じ数のパイロットシンボルが送信されることを特徴とする請求項１に記載の方法。
【請求項３】
通常モードと圧縮モードの両方において前記主ＤＰＣＣＨと前記副ＤＰＣＣＨとの間で同じ合計パイロットエネルギーの比が維持されることを特徴とする請求項１に記載の方法。
【請求項４】
Ｅ−ＤＰＤＣＨ（Ｅ−ＤＣＨ（ｅｎｈａｎｃｅｄ  ｄｅｄｉｃａｔｅｄ  ｃｈａｎｎｅｌ）ｄｅｄｉｃａｔｅｄ  ｐｈｙｓｉｃａｌ  ｄａｔａ  ｃｈａｎｎｅｌ）を送信するステップをさらに含み、
Ｅ−ＤＣＨトランスポートフォーマットコンビネーション（Ｅ−ＴＦＣ）の選択のための正規化残存電力マージン（ＮＲＰＭ）が、副ＤＰＣＣＨの送信電力を考慮することによって実行されることを特徴とする請求項１に記載の方法。
【請求項５】
前記副ＤＰＣＣＨの送信電力は、主ＤＰＣＣＨの電力目標および上位レイヤからシグナリングされる利得係数に基づいて決定されることを特徴とする請求項４に記載の方法。
【請求項６】
前記副ＤＰＣＣＨに関する利得係数は、Ｅ−ＤＣＨのデータが副ストリームで送信されるという条件でブーストされることを特徴とする請求項４に記載の方法。
【請求項７】
前記副ＤＰＣＣＨに関する前記利得係数のブーストの量は、Ｅ−ＤＰＤＣＨの利得係数と、上位レイヤによってシグナリングされるスケーリングの係数と、上位レイヤによってシグナリングされるトラフィック対パイロット電力比との組み合わせに基づいて決定されることを特徴とする請求項６に記載の方法。
【請求項８】
第２のストリームが送信されるとき、前記副ＤＰＣＣＨは、異なる電力設定で連続的に送信されることを特徴とする請求項１に記載の方法。
【請求項９】
前記副ＤＰＣＣＨは、２つの非フレーム同期ワード（ＦＳＷ）シンボルを含む１０個のパイロットシンボルを搬送することを特徴とする請求項１に記載の方法。
【請求項１０】
間欠送信（ＤＴＸ）が有効であるとき、前記ＷＴＲＵが前記主ＤＰＣＣＨを送信しないスロットにおいて前記ＷＴＲＵが前記副ＤＰＣＣＨを送信しないことを特徴とする請求項１に記載の方法。
【請求項１１】
複数のアンテナでパイロットシンボルを送信するための無線送受信ユニット（ＷＴＲＵ）であって、
複数のアンテナと、
異なるチャネライゼーション符号を用いて複数のアンテナを介して主ＤＰＣＣＨ（ｄｅｄｉｃａｔｅｄ  ｐｈｙｓｉｃａｌ  ｃｏｎｔｒｏｌ  ｃｈａｎｎｅｌ）および少なくとも１つの副ＤＰＣＣＨを送信するように構成された回路であって、前記副ＤＰＣＣＨが、前記主ＤＰＣＣＨに関する長さ８のパイロットシンボルと同じであるパイロットシンボルを搬送する、回路とを備え、
前記回路が、必要とされる送信電力がＷＴＲＵの最大許容送信電力を超えるという条件で、前記主ＤＰＣＣＨと前記副ＤＰＣＣＨとの間の電力比が前記電力のスケーリングの後も同じままであるように、電力のスケーリングを、前記主ＤＰＣＣＨと前記副ＤＰＣＣＨとに等しく適用するようにさらに構成されることを特徴とするＷＴＲＵ。
【請求項１２】
前記ＷＴＲＵが圧縮モードで送信しているとき、前記副ＤＰＣＣＨで同じ数のパイロットシンボルが送信されることを特徴とする請求項１１に記載のＷＴＲＵ。
【請求項１３】
通常モードと圧縮モードの両方において前記主ＤＰＣＣＨと前記副ＤＰＣＣＨとの間で同じ合計パイロットエネルギーの比が維持されることを特徴とする請求項１１に記載のＷＴＲＵ。
【請求項１４】
前記回路が、Ｅ−ＤＰＤＣＨ（Ｅ−ＤＣＨ（ｅｎｈａｎｃｅｄ  ｄｅｄｉｃａｔｅｄ  ｃｈａｎｎｅｌ）ｄｅｄｉｃａｔｅｄ  ｐｈｙｓｉｃａｌ  ｄａｔａ  ｃｈａｎｎｅｌ）を送信するように構成され、
Ｅ−ＤＣＨトランスポートフォーマットコンビネーション（Ｅ−ＴＦＣ）の選択のための正規化残存電力マージン（ＮＲＰＭ）が、副ＤＰＣＣＨの送信電力を考慮することによって実行されることを特徴とする請求項１１に記載のＷＴＲＵ。
【請求項１５】
前記副ＤＰＣＣＨの送信電力は、主ＤＰＣＣＨの電力目標および上位レイヤからシグナリングされる利得係数に基づいて決定されることを特徴とする請求項１４に記載のＷＴＲＵ。
【請求項１６】
前記副ＤＰＣＣＨに関する利得係数は、Ｅ−ＤＣＨのデータが副ストリームで送信されるという条件でブーストされることを特徴とする請求項１４に記載のＷＴＲＵ。
【請求項１７】
前記副ＤＰＣＣＨに関する前記利得係数のブーストの量は、Ｅ−ＤＰＤＣＨの利得係数と、上位レイヤによってシグナリングされるスケーリングの係数と、上位レイヤによってシグナリングされるトラフィック対パイロット電力比との組み合わせに基づいて決定されることを特徴とする請求項１６に記載のＷＴＲＵ。
【請求項１８】
第２のストリームが送信されるとき、前記副ＤＰＣＣＨは、異なる電力設定で連続的に送信されることを特徴とする請求項１１に記載のＷＴＲＵ。
【請求項１９】
前記副ＤＰＣＣＨは、２つの非フレーム同期ワード（ＦＳＷ）シンボルを含む１０個のパイロットシンボルを搬送することを特徴とする請求項１１に記載のＷＴＲＵ。
【請求項２０】
間欠送信（ＤＴＸ）が有効であるとき、前記ＷＴＲＵが前記主ＤＰＣＣＨを送信しないスロットにおいて前記ＷＴＲＵが前記副ＤＰＣＣＨを送信しないことを特徴とする請求項１１に記載のＷＴＲＵ。
【発明の詳細な説明】
【技術分野】
【０００１】
本発明は、無線通信に関する。
関連出願の相互参照
本出願は、２０１０年１０月１日に出願した米国特許仮出願第６１／３８９，１１２号明細書、２０１０年１１月５日に出願した米国特許仮出願第６１／４１０，７３１号明細書、２０１１年１月７日に出願した米国特許仮出願第６１／４３０，９２８号明細書、２０１１年２月１１日に出願した米国特許仮出願第６１／４４２，０６４号明細書、２０１１年４月２８日に出願した米国特許仮出願第６１／４８０，１６２号明細書、および２０１１年８月１２日に出願した米国特許仮出願第６１／５２３，１２０号明細書の利益を主張するものであり、これらの仮出願の開示の内容は、参照により本明細書に組み込まれる。
【背景技術】
【０００２】
多入力多出力（ＭＩＭＯ）および送信ダイバーシティなどの技術が、ダウンリンクのデータスループットを向上させるために開発されてきた。ダウンリンクにおけるデータ送信の要求は、通常、アップリンクにおけるデータ送信の要求よりも多い。送信ダイバーシティおよびＭＩＭＯは、アップリンクに関しても考慮され、拡大されたカバレッジ、およびダウンリンクとアップリンクの間のピークデータ転送速度の不均衡が小さくされるように向上されたデータ転送速度をもたらす。
【０００３】
シングルアンテナによる送信からデュアルアンテナまたはマルチアンテナによる送信への発展により、さらなるデータスループットの向上が可能である。アップリンクにおけるデュアルアンテナまたはマルチアンテナによる送信をサポートするためには、第２の送信アンテナでパイロットおよびその他の制御情報を搬送するための制御チャネルを設計することが必要とされる。
【発明の概要】
【０００４】
複数のアンテナでパイロットを送信するための方法および装置が、開示される。無線送受信ユニット（ＷＴＲＵ）が、異なるチャネライゼーション符号を用いて複数のアンテナを介して主ＤＰＣＣＨ（ｄｅｄｉｃａｔｅｄ  ｐｈｙｓｉｃａｌ  ｃｏｎｔｒｏｌ  ｃｈａｎｎｅｌ）および少なくとも１つの副ＤＰＣＣＨを送信する可能性がある。副ＤＰＣＣＨは、パイロットシンボルのみを搬送する可能性がある。２５６の拡散率を用いる場合、副ＤＰＣＣＨは、４つのフレーム同期ワード（ｆｒａｍｅ  ｓｙｎｃｈｒｏｎｉｚａｔｉｏｎ  ｗｏｒｄ）（ＦＳＷ）シンボルおよび６つの非ＦＳＷシンボルを含む１０個のパイロットシンボルを含み得る。副ＤＰＣＣＨの最初の８つのパイロットシンボルは、主ＤＰＣＣＨの長さ８のパイロットシンボルと同じである可能性がある。圧縮モード（ｃｏｍｐｒｅｓｓｅｄ  ｍｏｄｅ）が構成されるとき、副ＤＰＣＣＨは、通常モードおよび圧縮モードのそれぞれにおいて主ＤＰＣＣＨと同じ数のパイロットビットを含む可能性がある。副ＤＰＣＣＨの送信電力は、主ＤＰＣＣＨにおけるパイロットシンボルの数および副ＤＰＣＣＨにおけるパイロットシンボルの数の比に基づいて調整可能である。必要とされる送信電力がＷＴＲＵの最大許容送信電力を超えるとき、電力のスケーリングを、主ＤＰＣＣＨと副ＤＰＣＣＨとに等しく適用することができる。
【０００５】
Ｅ−ＤＰＤＣＨ（Ｅ−ＤＣＨ（ｅｎｈａｎｃｅｄ  ｄｅｄｉｃａｔｅｄ  ｃｈａｎｎｅｌ）ｄｅｄｉｃａｔｅｄ  ｐｈｙｓｉｃａｌ  ｄａｔａ  ｃｈａｎｎｅｌ）の送信に関して、Ｅ−ＤＣＨトランスポートフォーマットコンビネーション（Ｅ−ＤＣＨ  ｔｒａｎｓｐｏｒｔ  ｆｏｒｍａｔ  ｃｏｍｂｉｎａｔｉｏｎ）（Ｅ−ＴＦＣ）の選択のための正規化残存電力マージン（ｎｏｒｍａｌｉｚｅｄ  ｒｅｍａｉｎｉｎｇ  ｐｏｗｅｒ  ｍａｒｇｉｎｅ）（ＮＲＰＭ）が、副ＤＰＣＣＨの送信電力を考慮することによって実行されてもよい。副ＤＰＣＣＨの送信電力は、主ＤＰＣＣＨの電力目標および上位レイヤからシグナリングされる利得係数（ｇａｉｎ  ｆａｃｔｏｒ）に基づいて決定することができる。
【０００６】
あるいは、副ＤＰＣＣＨの送信電力は、主ＤＰＣＣＨの電力目標、上位レイヤからシグナリングされる利得係数、および送信される副ＤＰＣＣＨのスロットの数と１つの無線フレームのスロットの数の間の比として定義される副ＤＰＣＣＨの間欠送信（ＤＴＸ）サイクルに基づいて決定してもよい。
【図面の簡単な説明】
【０００７】
より詳細な理解が、添付の図面と併せて例として与えられる以下の説明から得られるであろう。
【図１Ａ】１つまたは複数の開示された実施形態が実装され得る例示的な通信システムのシステム図である。
【図１Ｂ】図１Ａに示された通信システム内で使用され得る例示的な無線送受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図２】プリコーディングなしに２つのアンテナを介して２つのパイロットシーケンスを送信するＷＴＲＵの例を示す図である。
【図３】ＷＴＲＵがサブフレームの境界の２スロット前に第２のパイロットシーケンスを送信する例を示す図である。
【図４】第２のＤＰＣＣＨに固有のＤＴＸパターンまたはサイクルの例示的な実装を示す図である。
【図５】単一の第２のＤＰＣＣＨに固有のＤＴＸパターンまたはサイクルの例示的な実装を示す図である。
【図６】２つのＥ−ＤＣＨストリーム、および第２のＥ−ＤＣＨが送信される間にそれぞれ異なる電力設定を用いる２つのＤＰＣＣＨの例示的な送信を示す図である。
【図７】送信電力制御（ＴＰＣ）コマンドビットの例示的な時空間送信ダイバーシティ（ｓｐａｃｅ  ｔｉｍｅ  ｔｒａｎｓｍｉｔ  ｄｉｖｅｒｓｉｔｙ）（ＳＴＴＤ）符号化を示す図である。
【図８】ＤＰＣＣＨの時空間符号化のための代替的方法を示す図である。
【図９】ＴＰＣコマンドビットの例示的な繰り返し送信を示す図である。
【図１０】第２のアンテナでのＴＰＣフィールドのビットのＤＴＸを示す図である。
【図１１】対による直交性を有する（ｐａｉｒ−ｗｉｓｅ  ｏｒｔｈｏｇｏｎａｌ）ビットストリームの例を示す図である。
【図１２】長さが４である２値ストリームの例を示す図である。
【図１３】アップリンクの送信ダイバーシティシステムにおける例示的なパイロットの送信を示す図である。
【図１４】探索パイロット（ｐｒｏｂｉｎｇ  ｐｉｌｏｔ）の利用を示す図である。
【図１５】固定長の探索パターンの例を示す図である。
【図１６】コードブックに基づかない閉ループの送信ビームフォーミングスキームの例を示す図である。
【図１７Ａ】あるＵＥ＿ＤＴＸ＿ＤＲＸ＿Ｏｆｆｓｅｔを用いるアップリンクのＤＰＣＣＨのバーストパターンの例を示す図である。
【図１７Ｂ】別のＵＥ＿ＤＴＸ＿ＤＲＸ＿Ｏｆｆｓｅｔを用いるアップリンクのＤＰＣＣＨのバーストパターンの例を示す図である。
【図１８】この実施形態による２つの送信アンテナを用いた例示的なＰＲＡＣＨ（ｐｈｙｓｉｃａｌ  ｒａｎｄｏｍ  ａｃｃｅｓｓ  ｃｈａｎｎｅｌ）の送信を示す図である。
【図１９】アンテナ切り替えを用いるＰＲＡＣＨの例示的な送信を示す図である。
【図２０】ビームフォーミングを適用する例示的なＰＲＡＣＨの送信を示す図である。
【図２１】拡張された位相参照（ｐｈａｓｅ  ｒｅｆｅｒｅｎｃｅ）のための例示的な第２のＤＰＣＣＨのゲート制御パターンを示す図である。
【図２２】拡張された位相参照の支援のための第３のＤＰＣＣＨの例示的な送信を示す図である。
【図２３】位相の不連続性を緩和するための第２のＤＰＣＣＨのゲート制御パターンの例示的な実装を示す図である。
【発明を実施するための形態】
【０００８】
図１Ａは、１つまたは複数の開示された実施形態が実装され得る例示的な通信システム１００の図である。通信システム１００は、複数の無線ユーザに音声、データ、映像、メッセージング、放送などのコンテンツを提供する多元接続システムである可能性がある。通信システム１００は、複数の無線ユーザが、無線帯域幅を含むシステムリソースの共有によってそのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することができる。
【０００９】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、およびその他のネットワーク１１２を含み得るが、開示された実施形態は、任意の数のＷＴＲＵ、基地局、ネットワーク、および／またはネットワーク要素を考慮することが理解されるであろう。ＷＴＲＵ１０２ａ、１０２ｂ、１０２ｃ、１０２ｄのそれぞれは、無線環境内で動作および／または通信するように構成された任意の種類のデバイスであってもよい。例として、ＷＴＲＵ１０２ａ、１０２ｂ、１０２ｃ、１０２ｄは、無線信号を送信および／または受信するように構成可能であり、ユーザ機器（ＵＥ）、移動局、固定または移動加入者ユニット、ページャ、セルラ電話、携帯情報端末（ＰＤＡ）、スマートフォン、ラップトップ、ネットブック、パーソナルコンピュータ、無線センサー、家庭用電化製品などを含み得る。
【００１０】
通信システム１００は、基地局１１４ａおよび基地局１１４ｂも含み得る。基地局１１４ａ、１１４ｂのそれぞれは、コアネットワーク１０６、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意の種類のデバイスであってもよい。例として、基地局１１４ａ、１１４ｂは、無線基地局（ＢＴＳ）、Ｎｏｄｅ−Ｂ、ｅＮｏｄｅＢ、ホームＮｏｄｅＢ、ホームｅＮｏｄｅＢ、サイトコントローラ、アクセスポイント（ＡＰ）、無線ルータなどであってもよい。基地局１１４ａ、１１４ｂはそれぞれ単一の要素として示されているが、基地局１１４ａ、１１４ｂは、任意の数の相互に接続された基地局および／またはネットワーク要素を含み得ることが理解されるであろう。
【００１１】
基地局１１４ａは、ＲＡＮ１０４の一部であることができ、ＲＡＮ１０４は、その他の基地局、および／または基地局コントローラ（ＢＳＣ）、無線ネットワークコントローラ（ＲＮＣ）、中継ノードなどのネットワーク要素（図示せず）も含み得る。基地局１１４ａおよび／または基地局１１４ｂは、セルと呼ばれる場合がある特定の地理的領域（図示せず）内で無線信号を送信および／または受信するように構成され得る。セルは、セルのセクタにさらに分割され得る。例えば、基地局１１４ａに関連するセルは、３つのセクタに分割され得る。したがって、一実施形態において、基地局１１４ａは、３つのトランシーバ、すなわち、セルの各セクタに対して１つのトランシーバを含み得る。別の実施形態において、基地局１１４ａは、多入力多出力（ＭＩＭＯ）技術を使用することができ、したがって、セルの各セクタに対して複数のトランシーバを利用してもよい。
【００１２】
基地局１１４ａ、１１４ｂは、任意の好適な無線通信リンク（例えば、無線周波数（ＲＦ）、マイクロ波、赤外線（ＩＲ）、紫外線（ＵＶ）、可視光など）である可能性がある無線インターフェース１１６を介してＷＴＲＵ１０２ａ、１０２ｂ、１０２ｃ、１０２ｄのうちの１つまたは複数と通信することができる。無線インターフェース１１６は、任意の好適な無線アクセス技術（ＲＡＴ）を用いて確立され得る。
【００１３】
より具体的には、上述のように、通信システム１００は、多元接続システムである可能性があり、ＣＤＭＡ、ＴＤＭＡ、ＦＤＭＡ、ＯＦＤＭＡ、ＳＣ−ＦＤＭＡなどの１つまたは複数のチャネルアクセススキームを使用する可能性がある。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を用いて無線インターフェース１１６を確立することができるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ＵＴＲＡ（Ｔｅｒｒｅｓｔｒｉａｌ  Ｒａｄｉｏ  Ａｃｃｅｓｓ）などの無線技術を実装することができる。ＷＣＤＭＡは、ＨＳＰＡ（Ｈｉｇｈ−Ｓｐｅｅｄ  Ｐａｃｋｅｔ  Ａｃｃｅｓｓ）および／またはＨＳＰＡ＋（Ｅｖｏｌｖｅｄ  ＨＳＰＡ）などの通信プロトコルを含み得る。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）および／またはＨＳＵＰＡ（Ｈｉｇｈ−Ｓｐｅｅｄ  Ｕｐｌｉｎｋ  Ｐａｃｋｅｔ  Ａｃｃｅｓｓ）を含み得る。
【００１４】
別の実施形態において、基地局１１４ａおよびＷＴＲＵ１０２ａ、１０２ｂ、１０２ｃは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を用いて無線インターフェース１１６を確立することができるＥ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実装することができる。
【００１５】
その他の実施形態において、基地局１１４ａおよびＷＴＲＵ１０２ａ、１０２ｂ、１０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ  Ｒａｄｉｏ  Ａｃｃｅｓｓ  Ｎｅｔｗｏｒｋ）などの無線技術を実装することができる。
【００１６】
図１Ａの基地局１１４ｂは、例えば、無線ルータ、ホームＮｏｄｅＢ、ホームｅＮｏｄｅＢ、またアクセスポイントである可能性があり、事業所、家庭、車両、キャンパスなどの局所的な地域で無線接続を容易にするための任意の好適なＲＡＴを利用することができる。一実施形態において、基地局１１４ｂおよびＷＴＲＵ１０２ｃ、１０２ｄは、無線ローカルエリアネットワーク（ＷＬＡＮ）を確立するためのＩＥＥＥ８０２．１１などの無線技術を実装することができる。別の実施形態において、基地局１１４ｂおよびＷＴＲＵ１０２ｃ、１０２ｄは、無線パーソナルエリアネットワーク（ＷＰＡＮ）を確立するためのＩＥＥＥ８０２．１５などの無線技術を実装することができる。さらに別の実施形態において、基地局１１４ｂおよびＷＴＲＵ１０２ｃ、１０２ｄは、セルラに基づくＲＡＴ（例えば、ＷＣＤＭＡ、ＣＤＭＡ２０００、ＧＳＭ、ＬＴＥ、ＬＴＥ−Ａなど）を利用してピコセルまたはフェムトセルを確立することができる。図１Ａに示されたように、基地局１１４ｂは、インターネット１１０に直接接続する可能性がある。したがって、基地局１１４ｂは、コアネットワーク１０６を介してインターネット１１０にアクセスするように要求されない可能性がある。
【００１７】
ＲＡＮ１０４は、コアネットワーク１０６と通信している可能性があり、コアネットワーク１０６は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを提供するように構成された任意の種類のネットワークである可能性がある。例えば、コアネットワーク１０６は、呼制御、課金サービス、モバイルの位置に基づくサービス、プリペイド電話、インターネット接続、映像配信などを提供し、および／またはユーザ認証などの高レベルのセキュリティ機能を実行することができる。図１Ａには示されていないが、ＲＡＮ１０４および／またはコアネットワーク１０６は、ＲＡＮ１０４と同じＲＡＴ、または異なるＲＡＴを使用するその他のＲＡＮと直接的または間接的に通信している可能性があることが理解されるであろう。例えば、Ｅ−ＵＴＲＡ無線技術を利用している可能性があるＲＡＮ１０４に接続されることに加えて、コアネットワーク１０６は、ＧＳＭ無線技術を使用する別のＲＡＮ（図示せず）とも通信している可能性がある。
【００１８】
コアネットワーク１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしても働くことができる。ＰＳＴＮ１０８は、ＰＯＴＳ（ｐｌａｉｎ  ｏｌｄ  ｔｅｌｅｐｈｏｎｅ  ｓｅｒｖｉｃｅ）を提供する回線交換電話ネットワークを含み得る。インターネット１１０は、ＴＣＰ／ＩＰインターネットプロトコルスイートの伝送制御プロトコル（ＴＣＰ）、ユーザデータグラムプロトコル（ＵＤＰ）、およびインターネットプロトコル（ＩＰ）などの共通の通信プロトコルを使用する相互に接続されたコンピュータネットワークおよびデバイスの全世界的なシステムを含み得る。ネットワーク１１２は、その他のサービスプロバイダによって所有および／または運用される有線または無線通信ネットワークを含み得る。例えば、ネットワーク１１２は、ＲＡＮ１０４と同じＲＡＴまたは異なるＲＡＴを使用する可能性がある１つまたは複数のＲＡＮに接続された別のコアネットワークを含み得る。
【００１９】
通信システム１００のＷＴＲＵ１０２ａ、１０２ｂ、１０２ｃ、１０２ｄの一部またはすべては、マルチモード機能を含む可能性があり、すなわち、ＷＴＲＵ１０２ａ、１０２ｂ、１０２ｃ、１０２ｄは、異なる無線リンクを介して異なる無線ネットワークと通信するための複数のトランシーバを含む可能性がある。例えば、図１Ａに示されたＷＴＲＵ１０２ｃは、セルラに基づく無線技術を使用することができる基地局１１４ａおよびＩＥＥＥ８０２無線技術を使用することができる基地局１１４ｂと通信するように構成され得る。
【００２０】
図１Ｂは、例示的なＷＴＲＵ１０２のシステム図である。図１Ｂに示されたように、ＷＴＲＵ１０２は、プロセッサ１１８、トランシーバ１２０、送信／受信要素１２２、スピーカー／マイクロホン１２４、キーパッド１２６、ディスプレイ／タッチパッド１２８、取り外し不可能なメモリ１３０、取り外し可能なメモリ１３２、電源１３４、ＧＰＳ（ｇｌｏｂａｌ  ｐｏｓｉｔｉｏｎｉｎｇ  ｓｙｓｔｅｍ）チップセット１３６、およびその他の周辺機器１３８を含み得る。ＷＴＲＵ１０２は、実施形態に準拠したまま、上述の要素の任意の部分的な組み合わせを含み得ることが理解されるであろう。
【００２１】
プロセッサ１１８は、汎用プロセッサ、専用プロセッサ、通常のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他の種類の集積回路（ＩＣ）、状態機械などである可能性がある。プロセッサ１１８は、信号の符号化、データ処理、電力制御、入力／出力処理、および／またはＷＴＲＵ１０２が無線環境で動作することを可能にする任意のその他の機能を実行することができる。プロセッサ１１８は、トランシーバ１２０に結合されることができ、トランシーバ１２０は、送信／受信要素１２２に結合されることができる。図１Ｂはプロセッサ１１８およびトランシーバ１２０を別個のコンポーネントとして示すが、プロセッサ１１８およびトランシーバ１２０は、電子的なパッケージまたはチップに一緒に統合され得ることが理解されるであろう。
【００２２】
送信／受信要素１２２は、無線インターフェース１１６を介して基地局（例えば、基地局１１４ａ）に信号を送信するか、または基地局（例えば、基地局１１４ａ）から信号を受信するように構成され得る。例えば、一実施形態において、送信／受信要素１２２は、ＲＦ信号を送信および／または受信するように構成されたアンテナである可能性がある。別の実施形態において、送信／受信要素１２２は、例えば、ＩＲ、ＵＶ、または可視光信号を送信および／または受信するように構成されたエミッタ／ディテクタである可能性がある。さらに別の実施形態において、送信／受信要素１２２は、ＲＦ信号と光信号の両方を送信および受信するように構成され得る。送信／受信要素１２２は、無線信号の任意の組み合わせを送信および／または受信するように構成され得ることが理解されるであろう。
【００２３】
加えて、送信／受信要素１２２は、図１Ｂにおいて単一の要素として示されているが、ＷＴＲＵ１０２は、任意の数の送信／受信要素１２２を含み得る。より具体的には、ＷＴＲＵ１０２は、ＭＩＭＯ技術を使用することができる。したがって、一実施形態において、ＷＴＲＵ１０２は、無線インターフェース１１６を介して無線信号を送信および受信するために２つ以上の送信／受信要素１２２（例えば、複数のアンテナ）を含み得る。
【００２４】
トランシーバ１２０は、送信／受信要素１２２によって送信されることになる信号を変調し、送信／受信要素１２２によって受信される信号を復調するように構成され得る。上述のように、ＷＴＲＵ１０２は、マルチモード機能を有する可能性がある。したがって、トランシーバ１２０は、ＷＴＲＵ１０２が例えばＵＴＲＡおよびＩＥＥＥ８０２．１１などの複数のＲＡＴを介して通信することを可能にするための複数のトランシーバを含み得る。
【００２５】
ＷＴＲＵ１０２のプロセッサ１１８は、スピーカー／マイクロホン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されることができ、それらからユーザ入力データを受信することができる。プロセッサ１１８は、スピーカー／マイクロホン１２４、キーパッド１２６、および／またはディスプレイ／タッチパッド１２８にユーザデータを出力することもできる。さらに、プロセッサ１１８は、取り外し不可能なメモリ１３０および／または取り外し可能なメモリ１３２などの任意の種類の好適なメモリからの情報にアクセスし、それらのメモリにデータを記憶することができる。取り外し不可能なメモリ１３０は、ランダムアクセスメモリ（ＲＡＭ）、読み出し専用メモリ（ＲＯＭ）、ハードディスク、または任意のその他の種類のメモリストレージデバイスを含み得る。取り外し可能なメモリ１３２は、加入者識別モジュール（ＳＩＭ）カード、メモリスティック、セキュアデジタル（ＳＤ）メモリカードなどを含み得る。その他の実施形態において、プロセッサ１１８は、サーバまたはホームコンピュータ（図示せず）などの、ＷＴＲＵ１０２に物理的に置かれていないメモリからの情報にアクセスし、そのメモリにデータを記憶することができる。
【００２６】
プロセッサ１１８は、電源１３４から電力を受け取ることができ、ＷＴＲＵ１０２内のその他のコンポーネントに電力を分配し、および／またはその電力を制御するように構成され得る。電源１３４は、ＷＴＲＵ１０２に給電するための任意の好適なデバイスである可能性がある。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２７】
プロセッサ１１８は、ＧＰＳチップセット１３６にも結合されることができ、ＧＰＳチップセット１３６は、ＷＴＲＵ１０２の現在位置に関する位置情報（例えば、経度および緯度）を提供するように構成され得る。ＧＰＳチップセット１３６からの情報に加えて、またはＧＰＳチップセット１３６からの情報の代わりに、ＷＴＲＵ１０２は、基地局（例えば、基地局１１４ａ、１１４ｂ）から無線インターフェース１１６を介して位置情報を受信し、および／または２つ以上の近隣の基地局から受信されている信号のタイミングに基づいてそのＷＴＲＵ１０２の位置を判定することができる。ＷＴＲＵ１０２は、実施形態に準拠したまま、任意の好適な位置判定方法によって位置情報を取得することができることが理解されるであろう。
【００２８】
プロセッサ１１８は、その他の周辺機器１３８にさらに結合されることができ、その他の周辺機器１３８は、追加的な特徴、機能、および／または有線もしくは無線接続を提供する１つまたは複数のソフトウェアおよび／またはハードウェアモジュールを含み得る。例えば、周辺機器１３８は、加速度計、電子コンパス、衛星トランシーバ、デジタルカメラ（写真または動画用）、ＵＳＢ（ｕｎｉｖｅｒｓａｌ  ｓｅｒｉａｌ  ｂｕｓ）ポート、振動デバイス、テレビトランシーバ、ハンズフリーヘッドセット、Ｂｌｕｅｔｏｏｔｈ（登録商標）モジュール、ＦＭ（ｆｒｅｑｕｅｎｃｙ  ｍｏｄｕｌａｔｅｄ）ラジオユニット、デジタル音楽プレーヤー、メディアプレーヤー、ビデオゲームプレーヤーモジュール、インターネットブラウザなどを含み得る。
【００２９】
図１Ｃは、一実施形態によるＲＡＮ１０４およびコアネットワーク１０６のシステム図である。上述のように、ＲＡＮ１０４は、無線インターフェース１１６を介してＷＴＲＵ１０２ａ、１０２ｂ、１０２ｃと通信するためにＵＴＲＡ無線技術を使用する可能性がある。ＲＡＮ１０４は、コアネットワーク１０６とも通信している可能性がある。図１Ｃに示されるように、ＲＡＮ１０４はＮｏｄｅ−Ｂ１４０ａ、１４０ｂ、１４０ｃを含むことができ、Ｎｏｄｅ−Ｂ１４０ａ、１４０ｂ、１４０ｃは、無線インターフェース１１６を介してＷＴＲＵ１０２ａ、１０２ｂ、１０２ｃと通信するための１つまたは複数のトランシーバをそれぞれが含み得る。Ｎｏｄｅ−Ｂ１４０ａ、１４０ｂ、１４０ｃは、ＲＡＮ１０４内の特定のセル（図示せず）にそれぞれが関連付けられ得る。ＲＡＮ１０４は、ＲＮＣ１４２ａ、１４２ｂも含み得る。ＲＡＮ１０４は、実施形態に準拠したまま、任意の数のＮｏｄｅ−ＢおよびＲＮＣを含み得ることが理解されるであろう。
【００３０】
図１Ｃに示されるように、Ｎｏｄｅ−Ｂ１４０ａ、１４０ｂは、ＲＮＣ１４２ａと通信している可能性がある。加えて、Ｎｏｄｅ−Ｂ１４０ｃは、ＲＮＣ１４２ｂと通信している可能性がある。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信している可能性がある。ＲＮＣ１４２ａ、１４２ｂのそれぞれは、そのＲＮＣが接続されているそれぞれのＮｏｄｅ−Ｂ１４０ａ、１４０ｂ、１４０ｃを制御するように構成され得る。さらに、ＲＮＣ１４２ａ、１４２ｂのそれぞれは、アウターループ電力制御、負荷制御、アドミッション制御、パケットのスケジューリング、ハンドオーバ制御、マクロダイバーシティ（ｍａｃｒｏｄｉｖｅｒｓｉｔｙ）、セキュリティ機能、データの暗号化などのその他の機能を実行またはサポートするように構成され得る。
【００３１】
図１Ｃに示されるコアネットワーク１０６は、ＭＧＷ（ｍｅｄｉａ  ｇａｔｅｗａｙ）１４４、ＭＳＣ（ｍｏｂｉｌｅ  ｓｗｉｔｃｈｉｎｇ  ｃｅｎｔｅｒ）１４６、ＳＧＳＮ（ｓｅｒｖｉｎｇ  ＧＰＲＳ  ｓｕｐｐｏｒｔ  ｎｏｄｅ）１４８、および／またはＧＧＳＮ（ｇａｔｅｗａｙ  ＧＰＲＳ  ｓｕｐｐｏｒｔ  ｎｏｄｅ）１５０を含み得る。上述の要素のそれぞれはコアネットワーク１０６の一部として示されているが、これらの要素のうちの任意の要素は、コアネットワークの運用者以外の主体によって所有および／または運用される可能性があることが理解されるであろう。
【００３２】
ＲＡＮ１０４のＲＮＣ１４２ａは、ＩｕＣＳインターフェースを介してコアネットワーク１０６のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃがＰＳＴＮ１０８などの回線交換ネットワークにアクセスできるようにして、ＷＴＲＵ１０２ａ、１０２ｂ、１０２ｃと従来の固定電話回線通信デバイスの間の通信を容易にすることができる。
【００３３】
ＲＡＮ１０４のＲＮＣ１４２ａは、ＩｕＰＳインターフェースを介してコアネットワーク１０６のＳＧＳＮ１４８にやはり接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃがインターネット１１０などのパケット交換ネットワークにアクセスできるようにして、ＷＴＲＵ１０２ａ、１０２ｂ、１０２ｃとＩＰ対応デバイスの間の通信を容易にすることができる。
【００３４】
上述のように、コアネットワーク１０６は、その他のサービスプロバイダによって所有および／または運用されるその他の有線または無線ネットワークを含み得るネットワーク１１２にも接続され得る。
【００３５】
以下の実施形態は、例として、ＷＣＤＭＡに関連して説明される。以下で開示される実施形態は、ＬＴＥ（Ｌｏｎｇ  Ｔｅｒｍ  Ｅｖｏｌｕｔｉｏｎ）、ｃｄｍａ２０００、ＷｉＭａｘなどを含むがこれらに限定されない任意の無線通信システムに適用され得ることに留意されたい。これらの実施形態は、例として、２つの送信アンテナを用いたアップリンクのデュアルストリームの送信に関連して説明されるが、これらの実施形態は、３つ以上の送信アンテナを用いた送信の３つ以上のストリームに適用され得ることにも留意されたい。
【００３６】
以降、用語「第１のパイロット」と「主（ｐｒｉｍａｒｙ）パイロット」が交換可能なように使用され、「第２のパイロット」と「副（ｓｅｃｏｎｄａｒｙ）パイロット」が交換可能なように使用される。「パイロットシーケンス」（またはパイロット信号もしくはパイロットシンボル）は、ＤＰＣＣＨ（ｄｅｄｉｃａｔｅｄ  ｐｈｙｓｉｃａｌ  ｃｏｎｔｒｏｌ  ｃｈａｎｎｅｌ）などの、パイロットシーケンスを搬送する制御チャネルを指す可能性がある。ＤＰＣＣＨは、パイロットチャネルの例として使用される。以降、用語「第１のＤＰＣＣＨ」、「主ＤＰＣＣＨ」、および「ＤＰＣＣＨ１」は交換可能なように使用され、用語「第２のＤＰＣＣＨ」、「副ＤＰＣＣＨ」、「Ｓ−ＤＰＣＣＨ」、および「ＤＰＣＣＨ２」は交換可能なように使用される。
【００３７】
ＷＴＲＵは、２つ（以上）のアンテナを介して２つ（以上）のパイロットシーケンス（すなわち、サウンディングチャネル（ｓｏｕｎｄｉｎｇ  ｃｈａｎｎｅｌ）または参照信号）を送信することができる。それらのパイロットシーケンスは、直交している可能性があり、または直交していない可能性がある。第１のおよび第２のパイロットシーケンスは、異なるアンテナで送信されるか、またはプリコーディングされ、異なるビームで２つのアンテナを介して送信される可能性がある。図２は、ＷＴＲＵ２００がプリコーディングせずに２つのアンテナ２０８を介して２つのパイロットシーケンスを送信する例を示す。第１のおよび第２のパイロットシーケンスは、それぞれ、変調マッパ（ｍｏｄｕｌａｔｉｏｎ  ｍａｐｐｅｒ）２０２によって変調され、拡散ブロック２０４によって拡散され、スクランブルブロック２０６によってスクランブリング符号と掛け合わされ、２つのアンテナ２０８を介して送信される。パイロットシーケンス（例えば、ＤＰＣＣＨ１およびＤＰＣＣＨ２）は、例として、図１６に示されるようにプリコーディングされる可能性がある。図１６においては、第１のＤＰＣＣＨならびにその他のアップリンクチャネル（例えば、Ｅ−ＤＰＤＣＨ、Ｅ−ＤＰＣＣＨ、ＤＰＤＣＨ、およびＨＳ−ＤＰＣＣＨ）が、ベクトル１を用いてプリコーディングブロック１６０２によってプリコーディングされ、第２のＤＰＣＣＨが、第１のＤＰＣＣＨおよびその他のアップリンクチャネルに適用されるプリコーディングベクトル１に対する位相の変化を有するベクトル２を用いてプリコーディングブロック１６０４によってプリコーディングされる。
【００３８】
ＷＴＲＵが、シングルストリームまたはデュアルストリーム（すなわち、ＵＬ  ＭＩＭＯ）の閉ループ送信ダイバーシティ（ｃｌｏｓｅｄ  ｌｏｏｐ  ｔｒａｎｓｍｉｔ  ｄｉｖｅｒｓｉｔｙ）（ＣＬＴＤ）で動作しているとき、受信機（例えば、ＮｏｄｅＢ）は、パイロットシーケンスを用いて空間チャネルを推定して、整合性を保ってデータを復調または検波し、ＮｏｄｅＢへの次の送信のためにＷＴＲＵで使用されるべき最良のアップリンクのプリコーディングの重みを決定することができる。
【００３９】
ＷＴＲＵは、以下の場合のうちの少なくとも１つの場合に第２のパイロット（例えば、副ＤＰＣＣＨ）を送信する可能性がある。（１）（例えば、Ｅ−ＤＣＨ（ｅｎｈａｎｃｅｄ  ｄｅｄｉｃａｔｅｄ  ｃｈａｎｎｅｌ）で）送信されているデータがあるとき、（２）送信されている２つのデータストリームがあるとき、（３）周期的に、（４）圧縮モードのギャップの間に、（４）第１のパイロットと一緒に、（５）２つのデータストリームがあるときに第１のパイロットと一緒に、（６）送信されているデータがあるときに第１のパイロットと一緒に、（７）送信されているデータがないときに第１のパイロットと一緒に、または（８）第１のパイロットの代わりに周期的に（例えば、Ｎ回の送信機会ごとに１回、あるいはＮスロットごとに１回、Ｎ個のＴＴＩごとに１回など）。オーバーヘッドを減らすために、副パイロットは、間欠的に送信され、および／または主パイロットと比較して低電力で送信される可能性がある。
【００４０】
パイロットシーケンスがプリコーディングされる場合、第２のビームで送信される第２のパイロットシーケンスは、データ変調の観点から見るとオーバーヘッドと見なされ得る。オーバーヘッドを減らすために、ＷＴＲＵは、周期的に、ほんのわずかな時間、第２のパイロットシーケンスを送信する可能性がある。第２のパイロットシーケンスのデューティサイクルは、ＮｏｄｅＢまたは任意のその他のネットワークエンティティによって構成され得る。プリコーディングの重みの変更は、アップリンクのＥ−ＤＣＨのサブフレーム（例えば、２ｍｓまたは１０ｍｓの送信時間間隔（ＴＴＩ））に合わせられ得る。送信およびＮｏｄｅＢの処理での遅延を考慮するために、第２のパイロットは、サブフレームの境界の前に送信され得る。図３は、ＷＴＲＵがサブフレームの境界の２スロット前の（網掛けのスロットの間に）第２のパイロットシーケンスを送信する例を示す。これは、ＮｏｄｅＢの処理に関する１スロットの遅延と、（１スロットの物理レイヤメッセージを想定した）新しいプリコーディングの重みの情報をＷＴＲＵに送信するためのもう１スロットとを許容する。
【００４１】
第２のパイロットは、より低いレートで（例えば、Ｎスロット、Ｎサブフレーム、またはＮフレームごとなどで）送信される可能性があり、複数の連続するスロットまたはバーストのグループで送信される可能性がある。（電力オフセット、タイミングの遅延、レート、およびバーストサイズなどの）第２のパイロットに関する動作パラメータは、ＲＲＣシグナリングを用いてネットワークによって構成される可能性があり、またはこれらのパラメータの一部（例えば、タイミング、バーストサイズなど）は、仕様で構成される可能性がある。
【００４２】
あるいは、第２のＤＰＣＣＨのオーバーヘッドを減らすために、ＤＰＣＣＨのＤＴＸ動作が、ＤＰＣＣＨごとに制御され得る。２つのＵＬのＤＴＸの状態変数、ＵＬ＿ＤＴＸ＿Ａｃｔｉｖｅ（１）およびＵＬ＿ＤＴＸ＿Ａｃｔｉｖｅ（２）が、第１のＤＰＣＣＨおよび第２のＤＰＣＣＨに関して定義され、個々に保持され、評価され得る。ＷＴＲＵは、第１のＤＰＣＣＨおよび第２のＤＰＣＣＨの送信をＤＰＣＣＨごとに制御することができる。
【００４３】
一例においては、第１のストリームまたはアンテナの第１のＤＰＣＣＨおよびその他のチャネルが連続的に送信され得る間に第２のＤＰＣＣＨが周期的に間欠送信されるように、ＵＬ＿ＤＴＸ＿Ａｃｔｉｖｅ（１）が「偽」に設定される可能性があり、ＵＬ＿ＤＴＸ＿Ａｃｔｉｖｅ（２）が「真」に設定される可能性がある。
【００４４】
別の例においては、ＵＬ＿ＤＴＸ＿Ａｃｔｉｖｅ（１）とＵＬ＿ＤＴＸ＿Ａｃｔｉｖｅ（２）の両方が「真」に設定されるが、第１のＤＰＣＣＨの送信を許可しながら第２のＤＰＣＣＨを間欠的に送信するために第１のおよび第２のＤＰＣＣＨに関して異なるＤＰＣＣＨのバーストパターンが構成される可能性がある。
【００４５】
準静的なＷＴＲＵのアンテナ構成と組み合わせて、Ｓ−ＤＰＣＣＨのために、Ｓ−ＤＰＣＣＨに固有のＤＴＸパターンまたはサイクルが定義され得る。例えば、Ｓ−ＤＰＣＣＨに固有のＤＴＸパターンまたはサイクルは、ＷＴＲＵのアンテナ構成の状態にリンクされ得る。ＷＴＲＵは、Ｓ−ＤＰＣＣＨに関する２つ以上のＳ−ＤＰＣＣＨに固有のＤＴＸパターンまたはサイクルを用いて動作するように構成される可能性があり、少なくとも１つのＳ−ＤＰＣＣＨに固有のＤＴＸパターンまたはサイクルのアクティブ化の状態は、ＷＴＲＵのアンテナ構成の状態（例えば、ＷＴＲＵがＵＬ  ＣＬＴＤで動作しているか否か、またはＷＴＲＵが、アップリンクチャネルが２つのアンテナのうちの一方で送信され、Ｓ−ＤＰＣＣＨが他方のアンテナで送信されるようにして動作するように構成されているかどうか）にリンクされ得る。表１は、例示的なＷＴＲＵのアンテナ構成を示す。構成の一部は、サポートされない可能性がある。ＷＴＲＵは、ＨＳ−ＳＣＣＨ命令またはＲＲＣシグナリングによってその他の構成のうちの１つを使用するように構成され得る。
【００４６】
【表１】
0005577470.tif 000002
【００４７】
１つの実装において、ＷＴＲＵは、Ｓ−ＤＰＣＣＨに関する２つのＳ−ＤＰＣＣＨに固有のＤＴＸパターンまたはサイクルを用いて構成され得る。ＷＴＲＵは、例えば、ＲＲＣシグナリングによって、これらのＳ−ＤＰＣＣＨに固有のＤＴＸパターンまたはサイクルのパラメータを用いて構成され得る。これらのパラメータのうちの１つまたは複数は、仕様で決められている可能性がある。
【００４８】
ＷＴＲＵは、そのＷＴＲＵが通常のＵＬ  ＣＬＴＤモード（すなわち、表１の構成＃１）で動作するように構成されるとき、第１の（短い）Ｓ−ＤＰＣＣＨに固有のＤＴＸパターンまたはサイクルを適用する。ＷＴＲＵは、通常のＤＰＣＣＨのＤＴＸのアクティブ化の状態に関係なくこのＳ−ＤＰＣＣＨに固有のＤＴＸパターンを適用するように構成され得る。そして、ＷＴＲＵは、そのＷＴＲＵがＳ−ＤＰＣＣＨがダイバーシティアンテナで送信される「アンテナ切り替え」モード（例えば、表１の構成＃２および構成＃３）で動作するように構成されるとき、第２の（長い）Ｓ−ＤＰＣＣＨに固有のＤＴＸパターンまたはサイクルを適用する可能性がある。図４は、Ｓ−ＤＰＣＣＨに固有のＤＴＸパターンまたはサイクルの例示的な実装を示す。図４において、ＷＴＲＵは、構成＃１（すなわち、ＵＬ  ＣＬＴＤモードでの動作）に構成され、それから、ＨＳ−ＳＣＣＨ命令によって構成＃２または＃３に構成される。
【００４９】
別の実装において、ＷＴＲＵは、Ｓ−ＤＰＣＣＨに関する単一の（長い）Ｓ−ＤＰＣＣＨに固有のＤＴＸパターンまたはサイクルを用いて構成され得る。ＷＴＲＵは、そのＷＴＲＵがアンテナ切り替えモード（すなわち、構成＃２および＃３）に構成されるとき、その（長い）ＤＴＸパターンを適用する可能性がある。ＷＴＲＵがアンテナ切り替えモードに構成されないとき、Ｓ−ＤＰＣＣＨに固有のＤＴＸパターンまたはサイクルは適用されない可能性がある。図５は、単一のＳ−ＤＰＣＣＨに固有のＤＴＸパターンまたはサイクルの例示的な実装を示す。図５において、ＷＴＲＵは、構成＃１（ＵＬ  ＣＬＴＤモードでの動作）に構成され、それから、ＨＳ−ＳＣＣＨ命令によって構成＃２または＃３に構成される。
【００５０】
上述の実装の両方において、ＷＴＲＵは、Ｓ−ＤＰＣＣＨを完全に非アクティブ化することに実質的に等しい無限に長いＤＴＸサイクルを用いて構成され得る。したがって、表１の構成＃４および＃５は、無限のＤＴＸサイクルを用いる構成＃２および＃３と同一になり得る。
【００５１】
例えば、通常のＤＰＣＣＨのＣＰＣのＤＴＸメカニズムにリンクされた追加的なＤＴＸが、Ｓ−ＤＰＣＣＨに固有のＤＴＸに加えて適用され得る。例えば、ＷＴＲＵは、主ＤＰＣＣＨも送信されるときにＳ−ＤＰＣＣＨを送信するように構成され得る。
【００５２】
Ｓ−ＤＰＣＣＨに固有のＤＴＸパターンは、ＨＳ−ＳＣＣＨ命令またはその他のシグナリングによって動的にアクティブ化および非アクティブ化され得る。Ｓ−ＤＰＣＣＨに固有のＤＴＸパターンまたはサイクルのアクティブ化の状態は、通常のＤＰＣＣＨのＤＴＸのアクティブ化の状態にリンクされ得る。Ｓ−ＤＰＣＣＨに固有のＤＴＸパターンまたはサイクルは、通常のＤＰＣＣＨのＤＴＸがアクティブ化／非アクティブ化されるときにいつもアクティブ化／非アクティブ化される可能性がある。
【００５３】
デュアルストリーム動作において、ＮｏｄｅＢは、第２のパイロットを用いて第２のストリームのデータを復調することができる。これは、より優れたチャネル推定を必要とする可能性がある。一実施形態において、ＷＴＲＵは、第２のストリームが送信されるときに異なる（例えば、より高い）電力設定で連続的に第２のパイロットを送信する可能性がある。図６は、２つのＥ−ＤＣＨストリーム、および第２のＥ−ＤＣＨが送信される間にそれぞれ異なる電力設定を用いる２つのＤＰＣＣＨの例示的な送信を示す。図６において、第２のＤＰＣＣＨは、第２のＥ−ＤＣＨストリーム（６０４）が送信されるとき、より高い電力レベル（６０２）で送信される。
【００５４】
ＷＴＲＵは、第２のストリームのデータを搬送するサブフレームの始まりの前に、通常の周期的な電力レベルに比べてより高い電力レベルで第２のパイロットを送信する可能性がある。ＷＴＲＵは、第２のストリームのデータを搬送するサブフレームが終わった後により高い電力レベルで第２のパイロットを送信する可能性がある。これは、ＮｏｄｅＢがデータの復調のためにそのＮｏｄｅＢのチャネル推定をさらに改善することを可能にすることができる。
【００５５】
ＷＴＲＵは、ＮｏｄｅＢがＷＴＲＵをデュアルストリームモードに構成するときにより高い電力レベルで第２のパイロットを送信する可能性がある。これは、ＮｏｄｅＢがチャネルの符号化のためにそのＮｏｄｅＢのチャネル推定をさらに改善することを可能にする。これは、ＷＴＲＵに、ネットワークによる指示を受信した後により高い電力で第２のパイロットを送信させることによって実現され得る。あるいは、ＷＴＲＵは、周期的により高い電力レベルで第２のパイロットを送信する可能性がある。
【００５６】
ＷＴＲＵは、制御データを有するチャネル（例えば、ＤＰＣＣＨ）で第２のパイロットが送信される場合に、より高い電力レベルで第２のパイロットを送信する可能性がある。デュアルストリーム動作が、独立したＥ−ＤＣＨトランスポートフォーマットコンビネーション（Ｅ−ＴＦＣ）の選択がストリームのそれぞれに対して行われることを許可する場合、独立した制御データおよび独立したパイロットが、各ストリームに関して送信され得る。一実施形態において、ＷＴＲＵは、２つの独立したＤＰＣＣＨ（第１のおよび第２のＤＰＣＣＨ）を送信する可能性がある。あるいは、ＷＴＲＵは、一方のＤＰＣＣＨで両方のストリームに関する制御データを送信し、他方のＤＰＣＣＨで独立したパイロットシーケンスを送信する可能性がある。
【００５７】
あるいは、ＷＴＲＵは、ＵＬチャネルのランク（ｒａｎｋ）の推定および／またはプリコーディングの重みの推定のための別個のサウンディングチャネルを送信する可能性がある。サウンディングチャネルは、ＮｏｄｅＢがチャネルのランクおよび最適なプリコーディングを推定することができる既知の信号または１組の信号をＮｏｄｅＢに提供し得る。ＷＴＲＵは、デュアルストリームが送信されるとき、サウンディングチャネルを送信しない可能性がある。サウンディングチャネルは、デュアルストリームが送信されないときに、周期的に送信される可能性がある。あるいは、サウンディングチャネルは、デュアルストリームの送信に関係なく周期的に送信される可能性がある。サウンディングチャネルは、ＮｏｄｅＢによって提供され得るトリガイベントに基づいて送信される可能性がある。
【００５８】
サウンディングチャネルは、チャネルおよびスケジューリング情報をＮｏｄｅＢに提供することができる構成可能な１組の送信を含み得る。サウンディングチャネル上の送信は、利用可能なチャネルのプリコーディングを逐次的に、または並列的に、または何らかの所定の組み合わせで使用して送信され得る。例えば、サウンディングチャネルは、サブフレームに対して利用可能なプリコーディングの構成（またはプリコーディングの構成の定義されたサブセット）のそれぞれを用いてそのサウンディングチャネルの事前に定義された信号を順番に送信する可能性がある。次いで、ＮｏｄｅＢは、プリコーディングの構成のそれぞれでのそのＷＴＲＵに関するチャネルの性能を推定することができる。サウンディングチャネルがいかなる制御情報も含まない場合、サウンディングチャネルは、制御情報を含むＤＰＣＣＨの電力レベルよりも低い電力レベルで送信される可能性がある。あるいは、サウンディングチャネルは、プリコーディングがサウンディングチャネルに適用されない場合、利用可能なアンテナのそれぞれから順番に送信される可能性がある。
【００５９】
重みが変わったときの電力制御のための実施形態が、以降で開示される。ＷＴＲＵがそのＷＴＲＵのプリコーディングの重みを変更するとき、その変更は、そのＷＴＲＵに関するＮｏｄｅＢの受信電力および信号対干渉比（ＳＩＲ）に影響を与える可能性がある。ＮｏｄｅＢがチャネルを推定し、最良のプリコーディングの重みを決定し、その情報をＷＴＲＵにシグナリングし、ＷＴＲＵが新しい重みを適用する時間の間にチャネルが大きく変わらない場合、ＮｏｄｅＢにおける受信電力の変化は正である。つまり、プリコーディングの重みの変更の後、ＷＴＲＵに関するＳＩＲがＮｏｄｅＢにおいて改善され、ＳＩＲがＮｏｄｅＢにおける目標ＳＩＲよりも高くなり、したがって、余分な雑音の増加を生じ、送信電力制御（ＴＰＣ）のダウンコマンド（ｄｏｗｎ  ｃｏｍｍａｎｄ）をＷＴＲＵに発することをＮｏｄｅＢに強いる。そのような雑音の増加の行き過ぎおよび電力制御の不安定を防止するために、ＷＴＲＵは、そのＷＴＲＵのアクティブセット（ａｃｔｉｖｅ  ｓｅｔ）のすべてのＮｏｄｅＢによって受信されたＴＰＣコマンドに潜在的に依存して、プリコーディングの重みが変更されるときにそのＷＴＲＵの送信電力を調整することができる。
【００６０】
一実施形態において、ＷＴＲＵは、プリコーディングの重みが変更されるときに、構成された量（例えば、１ｄＢ）だけ第１のＤＰＣＣＨの送信電力を削減するようにネットワークによって構成され得る。ＷＴＲＵは、新しいプリコーディングの重みが適用されるスロットでＤＰＣＣＨの電力を削減する（または代替的に維持する）可能性がある。ＤＰＣＣＨの電力を削減することによって、そのＤＰＣＣＨの電力はその他の物理チャネルに関する電力の基準として使用されるので、ＷＴＲＵの送信電力全体が削減される。
【００６１】
別の実施形態において、ＷＴＲＵは、ＴＰＣコマンドをオーバーライドする可能性がある。ＷＴＲＵは、プリコーディングの重みの変更が行われるスロットに関するＴＰＣコマンドを無視し、ＴＰＣの「ダウン」コマンドを適用する可能性がある。あるいは、ＷＴＲＵは、ＴＰＣコマンドをオーバーライドすることによってＤＰＣＣＨの電力を維持する可能性がある。
【００６２】
別の実施形態において、ＷＴＲＵは、サービングＮｏｄｅＢを含む無線リンクセット（ｒａｄｉｏ  ｌｉｎｋ  ｓｅｔ）（ＲＬＳ）から受信されたＴＰＣコマンドを「ダウン」コマンドにオーバーライドする可能性がある。これは、電力制御プロシージャによって決定されるΔＴＰＣだけ電力を下げることをＷＴＲＵに強制する。あるいは、そのような場合、通常の電力制御のために使用される値とは異なるΔＴＰＣの値が、ＷＴＲＵに関して構成され得る。
【００６３】
別の実施形態において、ＷＴＲＵは、その他のＲＬＳからのＴＰＣコマンドに関係なく、サービングＮｏｄｅＢを含むＲＬＳによって発せられたＴＰＣコマンドが「アップ（Ｕｐ）」であった場合に、プリコーディングの重みの変更が行われるスロットでＤＰＣＣＨの電力を削減するかまたは維持する可能性がある。
【００６４】
別の実施形態において、ＷＴＲＵは、プリコーディングの重みの変化とともにコマンドの一部として特定の電力制御コマンドを受信する可能性がある。これは、ＮｏｄｅＢが、新しいプリコーディングの重みを用いるＷＴＲＵからの送信に関する正確な電力レベルを推定することを可能にし、ＴＰＣコマンドが、第１の送信に関して無視されるか、またはＴＰＣプロシージャが通常通り動作することを可能にし、ＴＰＣコマンドが特定の電力制御コマンドで補償されることを可能にするかのいずれかを可能にすることができる。
【００６５】
パイロットおよび非パイロットフィールドの送信に関する実施形態が、以降で説明される。第２のＤＰＣＣＨのスロットのフォーマットは、第１のＤＰＣＣＨと同じである可能性があり、または同じではない可能性がある。両方のＤＰＣＣＨに関してＤＰＣＣＨのスロットのフォーマットが同じである場合、ＮｏｄｅＢは、両方のＤＰＣＣＨに関して、同じチャネル推定ブロックを使用する可能性があり、同様のチャネル推定の品質を期待する可能性がある。
【００６６】
あるいは、異なるＤＰＣＣＨのスロットのフォーマットが、第２のＤＰＣＣＨに関して定義され得る。例えば、ＷＴＲＵはアップリンクのＤＰＣＣＨで単一のＴＰＣコマンドを送信する必要がある可能性があるので、第２のＤＰＣＣＨに関する新しいスロットのフォーマットは、ＴＰＣフィールドを持たない可能性がある。あるいは、第２のＤＰＣＣＨに関する新しいスロットのフォーマットは、パイロットビットだけを含む可能性がある。
【００６７】
ＷＴＲＵは、第２のＤＰＣＣＨに関する異なるＤＰＣＣＨのスロットのフォーマットを用いて構成される可能性があり、そのスロットのフォーマットは、ネットワークによってシグナリングされる可能性がある。表２は、第２のＤＰＣＣＨに関する例示的なスロットのフォーマットを示す。表２においては、スロットのフォーマット４＊〜８が、通常のＤＰＣＣＨのスロットのフォーマットに新たに追加されている。ＮＤＴＸ列は、スロットのフォーマット中のＤＴＸビットの数を示す。ＤＴＸビットは、スロットの終わりで連続していない可能性があり、ＤＴＸビットの一部またはすべては、構成に応じてスロットの初めまたは任意の場所に現れる可能性がある。
【００６８】
【表２】
0005577470.tif 000003
【００６９】
別の実施形態において、ＷＴＲＵは、第１のＤＰＣＣＨと第２のＤＰＣＣＨの両方に関して単一のＤＰＣＣＨのスロットのフォーマットを用いて構成される可能性があり、ＷＴＲＵは、第２のＤＰＣＣＨで送信される必要がないフィールド（すなわち、「適用可能でないフィールド（ｎｏｎ−ａｐｐｌｉｃａｂｌｅ  ｆｉｅｌｄ）」）のビットにＤＴＸを適用する可能性がある。１組の適用可能でないフィールドは、仕様で事前に定義されている可能性があり、例えば、ＴＰＣフィールドを含み得る。あるいは、１組の適用可能でないフィールドは、第２のＤＰＣＣＨが構成されるときに上位レベルのシグナリングによって定義される可能性がある。
【００７０】
別の実施形態において、ＷＴＲＵは、第２のＤＰＣＣＨで非パイロットフィールドの情報（ＴＰＣ、ＴＦＣＩ（ｔｒａｎｓｐｏｒｔ  ｆｏｒｍａｔｉｏｎ  ｃｏｍｂｉｎａｔｉｏｎ  ｉｎｄｉｃａｔｏｒ）、またはフィードバック情報（ＦＢＩ）など）を送信する可能性がある。
【００７１】
単一の電力制御ループを用いた動作において、第２のアンテナまたはビームで送信されるＤＰＣＣＨでＴＰＣコマンドなどの（１つまたは複数の）非パイロットフィールドを送信するための実施形態が、以降で開示される。
【００７２】
一実施形態において、ＴＰＣコマンドビットなどの非パイロットフィールドのビットは、時空間送信ダイバーシティ（ＳＴＴＤ）の方法で送信され得る。図７は、ＴＰＣコマンドビットの例示的なＳＴＴＤ符号化を示す。２つ（または２つ以上）のＴＰＣコマンドビットが、ＳＴＴＤ符号化され、２つのアンテナ（またはビーム）によって送信される。非パイロットビットの数が奇数であるとき、ＷＴＲＵは、ＳＴＴＤ符号化のためにパイロットビットのうちの１つを符号化する可能性がある。
【００７３】
あるいは、ＷＴＲＵは、第１のＤＰＣＣＨシーケンスに時空間エンコーダ（ｓｐａｃｅ−ｔｉｍｅ  ｅｎｃｏｄｅｒ）を適用することによって第２のＤＰＣＣＨのビットシーケンス全体を導出する可能性がある。図８は、ＤＰＣＣＨの時空間符号化のための代替的方法を示す。ＤＰＣＣＨ１に関するビットシーケンスは、ＤＰＣＣＨ２（すなわち、副ＤＰＣＣＨ（Ｓ−ＤＰＣＣＨ））に関するビットシーケンスを生成するために時空間エンコーダ８０２によって処理される。第２のＤＰＣＣＨにマッピングされる時空間エンコーダの出力は、第１のＤＰＣＣＨに関するビットシーケンスと直交する可能性がある。
【００７４】
例えば、Ａｌａｍｏｕｔｉ  ＳＴＴＤエンコーダが、直交するＤＰＣＣＨ２シーケンスを生成するために使用され得る。これは、スロット全体にわたってビットの対に対して行われ得る。１０シンボルのＤＰＣＣＨスロットに関して、これは、表３に示されるビットのマッピングを用いることによって実現される可能性があり、「−」記号の演算子は関連するビット値を反転させる。
【００７５】
【表３】
0005577470.tif 000004
【００７６】
あるいは、時空間マッピングは、第１のＤＰＣＣＨのフィールドのサブセットに適用される可能性がある。
【００７７】
別の実施形態において、ＴＰＣフィールドなどの非パイロットフィールドは、２つのアンテナ／ビームで繰り返し送信される可能性がある。同じビットが、２つのアンテナ／ビームから等しい電力で送信される。図９は、ＴＰＣコマンドビットの例示的な繰り返し送信を示す。
【００７８】
別の実施形態において、ＴＰＣフィールドなどの非パイロットフィールドは、図１０に示されるように、第２のＤＰＣＣＨで間欠送信される可能性がある。図１０は、第２のアンテナでのＴＰＣフィールドのビットのＤＴＸを示す。
【００７９】
構成されるとき、ＤＰＣＣＨのスロットのフォーマット（表２参照）でのＴＰＣフィールドのサイズは、２または４ビットである可能性がある。ＴＰＣフィールドは単一のＴＰＣコマンドに関する情報（すなわち、１ビット）を搬送するので、特定のＴＰＣビットパターンが、表４に示されるように各送信電力制御コマンドに関して現在規定されている。
【００８０】
【表４】
0005577470.tif 000005
【００８１】
一実施形態において、第２のＤＰＣＣＨでＴＰＣコマンドを搬送するために使用されるＴＰＣビットパターンは、（例えば、判定指向モード（ｄｅｃｉｓｉｏｎ−ｄｉｒｅｃｔｅｄ  ｍｏｄｅ）でＴＰＣフィールドを追加のパイロットビットとして用いることによって）ＮｏｄｅＢにおける検波およびチャネル推定の信頼性を高めるために修正され得る。第２のＤＰＣＣＨに関するＴＰＣビットパターンは、第１のＤＰＣＣＨに関するＴＰＣビットパターンと直交する可能性がある。これは、例えば、それらのビットパターンのＴＰＣビットの半分を反転させることによって実現され得る。表５〜７は、第２のＤＰＣＣＨに関するＴＰＣビットパターンの例を示す。
【００８２】
【表５】
0005577470.tif 000006
【００８３】
【表６】
0005577470.tif 000007
【００８４】
【表７】
0005577470.tif 000008
【００８５】
今度のＴＰＣコマンドの値を計算した後、ＷＴＲＵは、第１のＤＰＣＣＨのＴＰＣフィールドに（表４に示された）通常のＴＰＣビットパターンを適用し、第２のＤＰＣＣＨのＴＰＣフィールドに（例えば、表５〜７に示された）対応する（例えば、直交する）ＴＰＣビットパターンを適用する可能性がある。
【００８６】
Ｓ−ＤＰＣＣＨは、スロットごとに８パイロットビットを搬送する可能性があり、残りの２ビットは、制御情報のシグナリングのために使用される可能性がある。つまり、各Ｓ−ＤＰＣＣＨスロットは、拡散操作の前、８ビットのパイロットフィールドおよび２ビットの非パイロットフィールドを含む可能性がある。Ｓ−ＤＰＣＣＨの２ビットの非パイロットフィールドの信頼できる送信を行うために、２ビットの非パイロットフィールドは、ＤＰＣＣＨで適用されるプリコーディングの重みベクトルを用いてプリコーディングされる可能性があり、一方、８ビットのパイロットフィールドは、ＤＰＣＣＨに適用されるプリコーディングの重みベクトルに直交するプリコーディングの重みベクトルを用いてプリコーディングされる可能性がある。
【００８７】
ＤＰＣＣＨに適用されるべき主プリコーディングの重みベクトルがｗ１であり、ＤＰＣＣＨの利得係数がβＣであり、ｗ１に直交する関連する副プリコーディングの重みベクトルがｗ２であると定義される。Ｓ−ＤＰＣＣＨの非パイロットフィールドは、ｗ１を用いてプリコーディングされる可能性があり、Ｓ−ＤＰＣＣＨの非パイロットフィールドの利得係数は、βＣに設定される可能性があり、Ｓ−ＤＰＣＣＨのパイロットフィールドは、ｗ２を用いてプリコーディングされる可能性があり、Ｓ−ＤＰＣＣＨのパイロットフィールドの利得係数は、ＹβＣに設定される可能性がある。あるいは、Ｓ−ＤＰＣＣＨの非パイロットフィールドは、ｗ１を用いてプリコーディングされる可能性があり、Ｓ−ＤＰＣＣＨの非パイロットフィールドの利得係数は、ＹβＣに設定される可能性があり、Ｓ−ＤＰＣＣＨのパイロットフィールドは、ｗ２を用いてプリコーディングされる可能性があり、Ｓ−ＤＰＣＣＨのパイロットフィールドの利得計数は、ＹβＣに設定される可能性がある。
【００８８】
アップリンクのＤＰＣＣＨ電力制御プリアンブル（ｐｏｗｅｒ  ｃｏｎｔｒｏｌ  ｐｒｅａｍｂｌｅ）が、無線リンクのデータ送信の初期化のために使用される。電力制御プリアンブルの長さＮｐｃｐは、上位レイヤによってシグナリングされる。２つの送信アンテナを有するＷＴＲＵに関しては、Ｎｐｃｐ＞０であるとき、アップリンクのＤＰＣＣＨ電力制御プリアンブルは、以下の方法のうちのいずれかで送信され得る。
【００８９】
一実施形態において、アップリンクのＤＰＣＣＨ電力制御プリアンブルは、各アンテナで１ＤＰＣＣＨずつ、両方のアンテナで送信される可能性がある。普遍性を失うことなく、第１のＤＰＣＣＨは、レガシーのパイロットビットパターンを用いてアンテナ１で送信される可能性があり、第２のＤＰＣＣＨは、上で開示されたように、第１のＤＰＣＣＨで使用されるパイロットビットパターンに直交し得るパイロットビットパターンを用いてアンテナ２で送信される可能性がある。両方のＤＰＣＣＨのＴＦＣＩ（ｔｒａｎｓｐｏｒｔ  ｆｏｒｍａｔ  ｃｏｍｂｉｎａｔｉｏｎ  ｉｎｄｅｘ）フィールドは、存在する場合、「０」ビットで満たされる可能性がある。ＦＢＩビットおよびＴＰＣビットなどのその他の非パイロットフィールドは、上で開示された実施形態を用いて送信され得る。
【００９０】
別の実施形態においては、第１のＤＰＣＣＨ電力制御プリアンブルが送信され得るが、第２のＤＰＣＣＨ電力制御プリアンブルは間欠送信される可能性がある。
【００９１】
別の実施形態においては、第１のＤＰＣＣＨ電力制御プリアンブルが送信される可能性があり、第２のＤＰＣＣＨ電力制御プリアンブルが、第１の事前に定義された期間（例えば、プリアンブルの長さの全体の長さもしくは半分の長さ、または何らかのその他の定義された期間）の間、間欠送信される可能性があり、次の期間の間は、第２のＤＰＣＣＨ電力制御プリアンブルが送信され、第１のＤＰＣＣＨ電力制御プリアンブルが間欠送信される可能性がある（またはあるいは、両方のＤＰＣＣＨ電力制御プリアンブルが送信される可能性がある）。事前に定義された期間は、仕様で定義されるか、または上位レイヤのシグナリングによって定義される可能性がある。
【００９２】
アップリンクの電力制御における第１のおよび第２のＤＰＣＣＨの電力の調整のための実施形態が、以降で開示される。ＷＴＲＵとＮｏｄｅＢの間で確立された１つまたは複数のアップリンクの電力制御ループが存在する可能性がある。
【００９３】
１つの電力制御ループが使用される場合、ＵＬ  ＤＰＣＣＨの送信電力を制御するために、１つのＴＰＣコマンドがＷＴＲＵによって受信される。ＴＰＣコマンド組み合わせ期間（ＴＰＣ  ｃｏｍｍａｎｄ  ｃｏｍｂｉｎｉｎｇ  ｐｅｒｉｏｄ）に受信されたＴＰＣコマンドに基づいて、ＷＴＲＵは、適切な電力制御アルゴリズムによって単一のＴＰＣコマンド、ＴＰＣ＿ｃｍｄを導出し、ΔＤＰＣＣＨ（ｄＢ）によって表される、ＤＰＣＣＨの電力の前の値に対するＤＰＣＣＨの電力の変化を導出し、
ΔＤＰＣＣＨ＝ΔＴＰＣ×ＴＰＣ＿ｃｍｄ          式（１）
によって与えられるΔＤＰＣＣＨ（ｄＢ）のステップを用いてアップリンクのＤＰＣＣＨの送信電力を調整する。
【００９４】
アップリンクのＤＰＣＣＨ電力制御プリアンブルの間に、ＷＴＲＵは、ΔＤＰＣＣＨ（ｄＢ）によって表される、ＤＰＣＣＨの電力の前の値に対するＤＰＣＣＨの電力の変化を導出し、式（１）のΔＤＰＣＣＨ（ｄＢ）のステップを用いてアップリンクのＤＰＣＣＨ電力制御プリアンブルの総送信電力を調整する可能性がある。アップリンクのＤＰＣＣＨの送信電力の導出された変化、ΔＤＰＣＣＨに基づいて、ＷＴＲＵは、以下の実施形態のうちの１つまたは任意の組み合わせによって、組み合わされたＴＰＣコマンドに基づいて、第１のＤＰＣＣＨおよび（第２のＤＰＣＣＨが構成される場合は）第２のＤＰＣＣＨの送信電力を制御する可能性がある。
【００９５】
一実施形態において、ＷＴＲＵは、以下のように２つのパイロットチャネルに電力を等しく割り当てる可能性がある。
ΔＤＰＣＣＨ１＝ΔＤＰＣＣＨ２＝（ΔＤＰＣＣＨ）／２          式（２）
【００９６】
別の実施形態において、ＷＴＲＵは、以下のように、第１のおよび第２のＤＰＣＣＨでそれぞれ使用されるパイロットの長さに反比例する電力を割り当てる可能性がある。
ΔＤＰＣＣＨ＝ΔＤＰＣＣＨ１＋ΔＤＰＣＣＨ２、および          式（３）
ΔＤＰＣＣＨ２＝（Ｎｐｉｌｏｔ１／Ｎｐｉｌｏｔ２）×（ΔＤＰＣＣＨ１）          式（４）
【００９７】
別の実施形態においては、ＵＬの同期が達せられる前に、ＷＴＲＵは、ＵＬの同期の速度を上げるために、第２のＤＰＣＣＨの電力を下げながら第１のＤＰＣＣＨの電力を上げるようにして２つのパイロットチャネルの間に調整可能なＤＰＣＣＨの合計電力を割り当てる可能性がある（すなわち、ΔＤＰＣＣＨ２はΔＤＰＣＣＨ１よりも小さい可能性がある）。ΔＤＰＣＣＨ２は、負である可能性がある。これは、ＮｏｄｅＢにおけるＵＬの同期プリミティブ（ｓｙｎｃｈｒｏｎｉｚａｔｉｏｎ  ｐｒｉｍｉｔｉｖｅ）が、第１のＤＰＣＣＨの品質または巡回冗長検査（ＣＲＣ）検査に基づく場合に有利である。
【００９８】
別の実施形態において、ＷＴＲＵは、ΔＤＰＣＣＨおよび（ΔＤＰＣＣＨ＋ΔＷＴＲＵ＿ｓｅｃ＿ｄｐｃｃｈ＿ｂａｃｋｏｆｆ）のステップを用いて第１のおよび第２のＵＬ  ＤＰＣＣＨの送信電力を調整する可能性があり、ここで、ΔＷＴＲＵ＿ｓｅｃ＿ｄｐｃｃｈ＿ｂａｃｋｏｆｆは、第１のＤＰＣＣＨに対する第２のＤＰＣＣＨの電力オフセットを表し、ΔＷＴＲＵ＿ｓｅｃ＿ｄｐｃｃｈ＿ｂａｃｋｏｆｆは、上位レイヤによって設定されるか、または仕様によって事前に定義されるか、または（例えば、ＨＳ−ＳＣＣＨ（ｈｉｇｈ  ｓｐｅｅｄ  ｓｈａｒｅｄ  ｃｏｎｔｒｏｌ  ｃｈａｎｎｅｌ）命令を介して）ＮｏｄｅＢによって、もしくはＤＬの制御チャネルのいずれかもしくは何らかの上位レイヤのシグナリングによってＷＴＲＵに動的にシグナリングされる可能性がある、
【００９９】
別の実施形態において、ＷＴＲＵは、第１のおよび第２のＤＰＣＣＨの送信電力を調整するときにアンテナの不均衡を考慮に入れることによって上述の実施形態のいずれかを使用する可能性がある。例えば、第１の実施形態（すなわち、電力の変更を等しく割り当てる）が使用されると仮定すると、２つのアンテナの間の電力の不均衡（ｐｏｗｅｒ  ｉｍｂａｌａｎｃｅ）（ＰＩ）を考慮に入れることによって、ＤＰＣＣＨの電力オフセットは、以下のように計算され得る。
ΔＤＰＣＣＨ１＝（ΔＤＰＣＣＨ＋ＰＩ）／２、および          式（５）
ΔＤＰＣＣＨ２＝（ΔＤＰＣＣＨ−ＰＩ）／２          式（６）
この実施形態は、２つのＤＰＣＣＨがプリコーディングされない場合に有用である可能性がある。
【０１００】
２つのＵＬの電力制御ループが使用される場合、ＵＬ  ＤＰＣＣＨの送信電力を個々に制御するために、２つのＴＰＣコマンドがＷＴＲＵによって受信される。通常のアップリンクの電力制御の規則が、第２のＤＰＣＣＨのために再利用される可能性がある。
【０１０１】
ＵＬ  ＴｘダイバーシティがＤＰＣＣＨのために使用されるとき、レガシーのＤＰＣＣＨのために使用される上位レイヤからシグナリングされる初期ＤＰＣＣＨ電力を第１のＤＰＣＣＨのための初期送信電力と第２のＤＰＣＣＨのための初期送信電力とに分けるために、上述の実施形態のいずれかが使用され得る。
【０１０２】
例えば、ＰＲＡＣＨ（ｐｈｙｓｉｃａｌ  ｒａｎｄｏｍ  ａｃｃｅｓｓ  ｃｈａｎｎｅｌ）の２つのプリアンブルのために電力ランプステップ（ｐｏｗｅｒ  ｒａｍｐ  ｓｔｅｐ）、ΔＰ０を分割するため、または最後に送信されたプリアンブルの電力に対するランダムアクセスメッセージの制御部の送信電力オフセット、すなわち、Ｐｐ−ｍ［ｄＢ］を分割するために、第１のおよび第２のＤＰＣＣＨまたはＤＰＣＣＨ電力制御プリアンブルの送信電力を調整するための上述の実施形態のいずれかが、ＵＬ  Ｔｘダイバーシティを使用するＰＲＡＣＨに適用され得る。
【０１０３】
ＷＴＲＵがＮｏｄｅＢに２つのＤＰＣＣＨを送信するとき、アップリンクの同期プリミティブは、第１のＤＰＣＣＨと第２のＤＰＣＣＨの両方の品質に基づいて推定され得る。あるいは、アップリンクの同期プリミティブは、第１のＤＰＣＣＨの品質に基づいて推定され得る。あるいは、アップリンクの同期プリミティブは、フィルタリングされた第１のおよび第２のＤＰＣＣＨの品質に基づいて推定され得る。
【０１０４】
受信機におけるプリコーディングに基づくＭＩＭＯ送信および時空間送信ダイバーシティ（ＳＴＴＤ）／時空間ブロック符号化（ｓｐａｃｅ  ｔｉｍｅ  ｂｌｏｃｋ  ｃｏｄｉｎｇ）（ＳＴＢＣ）などのＭＩＭＯ送信スキームのために、異なる送信アンテナからのチャネルは、シンボル検出の前に知られているかまたは推定される必要がある。これは、送信機と受信機の両方で知られているパイロットビットを用いて行われ得る。複数の送信アンテナに関して、２つ以上のアンテナから送信されるパイロットシーケンスは、互いに直交する可能性がある。
【０１０５】
表８および９は、パイロットビットの異なる長さＮｐｉｌｏｔに対する通常のＤＰＣＣＨのパイロットビットパターンを示す。パイロットビットパターンのｆｘ列（ｘ＝１．．．４）は、フレームの同期を確認するために使用され得るフレーム同期ワード（ＦＳＷ）として定義される。ＦＳＷ以外のパイロットビットパターンの値は「１」である。所与の長さＮｐｉｌｏｔを有するスロットのパイロットビットパターンに関して、ＮｆはＦＳＷの数であり、Ｎｒは非ＦＳＷの数である。表８および９においては、ｆ１．．．ｆ４によって識別される４つの異なるＦＳＷシーケンスが存在する。
【０１０６】
【表８】
0005577470.tif 000009
【０１０７】
【表９】
0005577470.tif 000010
【０１０８】
多次元チャネル行列（ｍｕｌｔｉ−ｄｉｍｅｎｓｉｏｎａｌ  ｃｈａｎｎｅｌ  ｍａｔｒｉｘ）のチャネル推定のための第２のアンテナに関する新しいパイロットビットシーケンスの実施形態が、以降で開示される。新しいパイロットパターンは、通常のパイロットパターンを使用し、それらの通常のパイロットパターンを第２のアンテナ／ビームで使用されるべき新しい１組の（直交性を有する）パイロットパターンに変換して設計され得る。このアプローチは、ＦＳＷの相関性を維持する新しい１組のパイロットシーケンスを導出するために使用され得る。
【０１０９】
パイロットビットの数が偶数であるとき、直交性は、所与のスロットの１つの単一のパイロットフィールド内で実現され得る。ＦＳＷベクトルと非ＦＳＷベクトルが編成される順序は、通常のパイロットフィールドのように維持され得る。偶数個のパイロットビットに関する直交シーケンスを得るために、ＦＳＷベクトルの（パイロットシーケンスの長さの半分に対応する）サブセットが反転される可能性がある。表１０は、このようにして生成された例示的なパイロットシーケンスを示す。
【０１１０】
【表１０】
0005577470.tif 000011
【０１１１】
別の実施形態においては、非ＦＳＷビットが反転される可能性がある。Ｎｐｉｌｏｔ＝４およびＮｐｉｌｏｔ＝８に関しては、パターンのシーケンスのちょうど半分が非ＦＳＷビットからなるので、この実施形態は、すべての非ＦＳＷビットを（１から０に）反転させることによって実施され得る。Ｎｐｉｌｏｔ＝６に関しては、（各スロットに関して）６ビット中の２ビットが非ＦＳＷビットである。したがって、この場合、１つのＦＳＷビットが、直交性を保つために反転され得る。結果として得られる例示的なビットパターンが、表１１に示される。
【０１１２】
【表１１】
0005577470.tif 000012
【０１１３】
ＷＴＲＵおよびＮｏｄｅＢは、構成に応じて適切なビットを単純に反転させる可能性がある。これは、シーケンスが２値シフトレジスタ回路を用いて生成される場合と、シーケンスがテーブルでハードコードされる場合（この場合、否定回路が適切に実装されるならば、単一のテーブルが必要とされる可能性がある）との両方で行われ得る。
【０１１４】
偶数のＮｐｉｌｏｔに関しては、直交性がタイムスロットごとに維持され得るが、Ｎｐｉｌｏｔが奇数であるときは、直交性を崩す相関で残される１ビットの残余が存在する。奇数個のパイロットシンボルに関して直交性を維持するために、直交性は、１スロットの代わりに２スロットにわたって適用される可能性がある。
【０１１５】
一実施形態においては、２つのパイロットパターンが、第２のパイロットに関して生成される可能性がある（パターンＡおよびＢ）。ＷＴＲＵは、時間的に交互に入れ替わるパターンＡおよびＢを送信する可能性がある。あるいは、ＷＴＲＵは、偶数スロットの間はパターンＡを送信し、無線フレームの奇数スロットの間はパターンＢを送信する可能性がある。ＦＳＷビットを反転させることによって生成される、奇数個のパイロットシンボルに関する例示的なパイロットパターンが、表１２および１３に示される。
【０１１６】
【表１２】
0005577470.tif 000013
【０１１７】
【表１３】
0005577470.tif 000014
【０１１８】
別の実施形態においては、直交性の要件が、２つのパイロットパターン内の連続的に対にされたビットのいずれもが直交することを要求する対による直交性（ｐａｉｒ−ｗｉｓｅ  ｏｒｔｈｏｇｏｎａｌｉｔｙ）の概念を導入することによって緩められる可能性がある。図１１は、対による直交性を有するビットストリームの例を示す。
【０１１９】
第１のアンテナに送られる主パイロットパターンからのビットをＣｐ１（ｎ），ｎ＝０，１，２，．．．，Ｎｐｉｌｏｔ−１と表す。第２のアンテナに送られる副パイロットビットパターンに関して、対による直交性は、以下のように主パイロットパターンのビットを１つおきに反転させることによって実現され得る。
【０１２０】
【数１】
0005577470.tif 000015
【０１２１】
ここで、
【０１２２】
【数２】
0005577470.tif 000016
【０１２３】
は、ビットを反転させる操作を表す。このプロセスが、すべてのスロットのパイロットビットパターンに対して繰り返される可能性がある。
【０１２４】
このようにして副パイロットパターンを設計することによって、新しいパイロットパターンのＦＳＷのビットの位置は、通常のパイロットパターンのＦＳＷのビットの位置と同じである可能性があり、新しいパイロットビットパターンのＦＳＷの自己相関は、通常のパイロットビットパターンのＦＳＷの自己相関以上に良好である可能性があり、新しいパイロットビットパターンのＦＳＷと非ＦＳＷおよびその他のＦＳＷとの間の相互相関は、レガシーのパイロットパターンのＦＳＷと非ＦＳＷおよびその他のＦＳＷとの間の相互相関以上に良好である可能性がある。
【０１２５】
同じ原理が、パイロットビットの数が偶数である場合に適用され得る。偶数のパイロットビットと奇数のパイロットビットの両方の組み合わせで、表１４は、Ｎｐｉｌｏｔ＝３、４、５、および６に対する例示的な副パイロットパターンを示し、表１５は、Ｎｐｉｌｏｔ＝７および８に対する例示的な副パイロットパターンを示す。
【０１２６】
【表１４】
0005577470.tif 000017
【０１２７】
【表１５】
0005577470.tif 000018
【０１２８】
別の実施形態において、副パイロットパターンは、対による直交性のために異なる反転パターン（例えば、偶数ビットを反転させる）を用いて生成され得る。表１６および１７は、このように例示的な副パイロットビットパターンを示す。
【０１２９】
【表１６】
0005577470.tif 000019
【０１３０】
【表１７】
0005577470.tif 000020
【０１３１】
別の実施形態においては、対による直交性が、無線フレーム全体の範囲でスロットの境界をまたがって維持される可能性がある。例えば、奇数ビットを判定させるＮｐｉｌｏｔ＝３に関して、副パイロットビットパターンは、
【０１３２】
【数３】
0005577470.tif 000021
【０１３３】
のように生成される可能性があり、ここで、上付き文字は、スロット番号を表す。例示的な結果として得られるパイロットビットパターンが、表１８および１９に示される。
【０１３４】
【表１８】
0005577470.tif 000022
【０１３５】
【表１９】
0005577470.tif 000023
【０１３６】
あるいは、代わりに偶数ビットが反転され得る。例えば、Ｎｐｉｌｏｔ＝３のとき、パイロットビットパターンの別の組が、以下のように生成され得る。
【０１３７】
【数４】
0005577470.tif 000024
【０１３８】
例示的なビットパターンが、表２０および２１に示される。
【０１３９】
【表２０】
0005577470.tif 000025
【０１４０】
【表２１】
0005577470.tif 000026
【０１４１】
対による直交性は、より大きな直交するブロックのサイズを有するようにさらに広げられ得る。Ｌ個の連続するビットのあらゆるブロックが、主パイロットシーケンスと副パイロットシーケンスの間で直交する可能性があり、ここで、Ｌは、任意の偶数である可能性がある。図１２は、Ｌ＝４である２値ストリームの例を示す。
【０１４２】
例えば、Ｌ＝４に関して、副パイロットビットパターンは、以下のように生成され得る。
【０１４３】
【数５】
0005577470.tif 000027
【０１４４】
ここで、ｍｏｄ（ｘ，４）は、変数ｘに対して実行されるモジュロ４演算を示す。
【０１４５】
異なる反転パターンが使用される可能性があり、直交性がスロットの境界をまたがって維持される可能性がある。
【０１４６】
対による直交性を有するパイロットを用いたチャネル推定が、以降で開示される。普遍性を失うことなく、２ｘ１のアンテナ構成を有するアップリンクのＴＸダイバーシティシステムが、Ｎｐｉｌｏｔが奇数であるときの上で開示されたパイロットビットパターンからのチャネル推定を示すために使用される。
【０１４７】
図１３は、アップリンクのＴＸダイバーシティシステムにおける例示的なパイロットの送信を示す。主パイロットおよび副パイロットは、送信のために２つのアンテナ１３０８に送られる前に、別々に変調マッパ１３０２によってシンボル（例えば、２位相偏移変調（ＢＰＳＫ）シンボル）にマッピングされ、拡散ブロック１３０４によって拡散され、スクランブリング符号を用いてスクランブルブロック１３０６によってスクランブルされる。変調マッピング操作において、スロットのパイロットビットが、ＢＰＳＫシンボルにマッピングされ得る。
【０１４８】
対による直交性を用いて、副パイロットシンボルは、
Ｃｐ２（ｎ）＝（−１）ｎＣｐ１（ｎ）          式（９）
と表され得る。
【０１４９】
受信機側では、受信された信号が、デスクランブルブロック１３２２、ＲＡＫＥ受信機１３２４、および逆拡散ブロック１３２６によって処理される。
【０１５０】
ＴＸチェーンおよびＲＸチェーンで処理を連結すると、デスプレッダ（ｄｅｓｐｒｅａｄｅｒ）の出力の信号は、以下のように記述され得る。
【０１５１】
ｙ（ｎ）＝ｈ１（ｎ）Ｃｐ１（ｎ）＋ｈ２（ｎ）Ｃｐ２（ｎ）＋ｎ（ｎ）＝ｈ１（ｎ）Ｃｐ１（ｎ）＋ｈ２（ｎ）（−１）ｎＣｐ１（ｎ）＋ｎ（ｎ）          式（１０）
ここで、ｈ１（ｎ）およびｈ２（ｎ）は、それぞれ、アンテナ１および２の伝播経路に関する等価なチャネル状態情報（ＣＳＩ）であり、ｎ（ｎ）は雑音項である。
【０１５２】
奇数のＮｐｉｌｏｔに関しては、すべてのシンボルを利用するために、元のパイロットシンボルとの相関を取るときに２組の平均、すなわち、０からＮｐｉｌｏｔ−２までの範囲のシンボルにわたる平均と、１からＮｐｉｌｏｔ−１までのもう１つの平均が実行され得る。チャネル推定は、以下の対による組み合わせから得られる可能性がある。
【０１５３】
【数６】
0005577470.tif 000028
【０１５４】
ここで、ｈ１（ｎ）はｈ２（ｎ）から実質的に分離され、推定は不偏（ｕｎｂｉａｓｅｄ）である。
【０１５５】
同様に、ｈ２（ｎ）に関して、
【０１５６】
【数７】
0005577470.tif 000029
【０１５７】
２ｘ２ＭＩＭＯシステムに関して、チャネル応答ｈ１１（ｎ）、ｈ１２（ｎ）、ｈ２１（ｎ）、およびｈ２２（ｎ）を推定するために、２つの受信アンテナから受信された信号のそれぞれに同様の操作が適用され得る。
【０１５８】
異なるチャネライゼーション符号を用いる副パイロットチャネル（例えば、Ｓ−ＤＰＣＣＨ）に関するパイロットの設計のための実施形態が、以降で開示される。
【０１５９】
Ｓ−ＤＰＣＣＨが主ＤＰＣＣＨ（Ｐ−ＤＰＣＣＨ）とは異なるチャネライゼーション符号にマッピングされるとき、Ｓ−ＤＰＣＣＨのパイロットシーケンスは、Ｐ−ＤＰＣＣＨのパイロットシーケンスと直交していない可能性がある。Ｓ−ＤＰＣＣＨの品質がＮｏｄｅＢの受信機で保証されない可能性があるので、パイロットシンボルのみがＳ−ＤＰＣＣＨで搬送され得る。そのような場合、Ｓ−ＤＰＣＣＨは、（２５６の拡散率（ＳＦ）を仮定して）ＤＰＣＣＨのスロットのフォーマットに関係なく１０個のパイロットシンボルを搬送する可能性がある。
【０１６０】
１０個のシンボルのパイロットシーケンスは現在の仕様で定義されていないので、新しい１０シンボル長のパイロットシーケンスが、Ｓ−ＤＰＣＣＨのために定義される必要がある。
【０１６１】
一実施形態においては、表９の８個のシンボルの通常のパイロットシーケンスが、２つの非ＦＳＷシンボルを追加することによって２シンボル分拡張される可能性がある。２つの非ＦＳＷシンボルは、任意の位置に置かれる可能性がある。例えば、２つの追加的な非ＦＳＷシンボルは、表２２に示されるように、シーケンスの両端に追加される可能性がある。あるいは、２つの追加的な非ＦＳＷシンボルは、表２３に示されるように、シーケンスの最後に追加される可能性がある。あるいは、２つの追加的な非ＦＳＷシンボルは、表２４に示されるように、シーケンスの真ん中に追加される可能性がある。
【０１６２】
【表２２】
0005577470.tif 000030
【０１６３】
【表２３】
0005577470.tif 000031
【０１６４】
【表２４】
0005577470.tif 000032
【０１６５】
別の実施形態において、Ｓ−ＤＰＣＣＨのパイロットシーケンスは、フレーム同期ワードを利用しない可能性があり、すべて１またはすべて０の単純なシーケンスが代わりに使用される可能性があり、フレーム内のスロット間で一定に保たれる可能性がある。Ｓ−ＤＰＣＣＨの受信されるＳＮＲは、インナーループ電力制御（ｉｎｎｅｒ  ｌｏｏｐ  ｐｏｗｅｒ  ｃｏｎｔｒｏｌ）（ＩＬＰＣ）によって直接制御されない可能性があり、したがって、ＮｏｄｅＢは、その中のＦＳＷ情報を同期の目的で利用しない可能性がある。
【０１６６】
探索を目的として第２のパイロットを使用するための実施形態が、以降で開示される。
【０１６７】
ＮｏｄｅＢにおけるデータの復調およびプリコーディングの重みの選択は、チャネル推定に異なる要件を課す可能性がある。２つのパイロットは、単一のデータストリームの送信の場合には異なる目的に資するように構成され得る。主ＤＰＣＣＨで搬送される主パイロットが、データを復調するために高品質のチャネル推定を得るために設計される可能性がある一方、副ＤＰＣＣＨで搬送されるパイロットは、例えば、最適なプリコーディングの重みの選択のために無線チャネルの状態を探索するために設計される可能性がある。
【０１６８】
図１４は、探索パイロットの利用を示す。送信機１４１０において、主ＤＰＣＣＨ（およびその他のチャネル）が、Ｔｘチェーン１４１２によって処理される。主ＤＰＣＣＨ（およびその他のチャネル）ならびに探索パイロットの利得が、受信機１４５０の電力制御ブロック１４６０からのＴＰＣコマンドに基づいて制御される。主ＤＰＣＣＨ（およびその他のチャネル）および探索パイロットは、それぞれ、プリコーディングユニット１４１４、１４１６によってプリコーディングされ、アンテナ１４２０を介して送信され得る。受信機１４５０のチャネル推定ブロック１４５２が、データの復調のために主パイロットを用いてチャネル推定を実行し、プリコーディングの重みの選択のために探索パイロットを用いてチャネル推定を実行する。受信機１４５０の重み選択機能１４５４が、最適な重みベクトルを選択し、送信機１４１０にフィードバックを送信する。主ＤＰＣＣＨは、探索パイロットに基づいて得られるチャネル状態情報にしたがって受信機によって決定される、ビームフォーミング制御機能１４１８から出力される最適なプリコーディングの重みＷｏｐｔによってプリコーディングされる。受信機は、ＳＩＲ推定ブロック１４５６によって推定されたＳＩＲの推定値に基づいてＴＰＣコマンドを決定し、電力制御ブロック１４６０が、そのＴＰＣコマンドを送信機１４１０に送信し、それによって送信機１４１０における利得を制御する。探索パイロットは、プリコーディングのコードブック内の重みのすべてまたはサブセットの中の異なるプリコーディングの重み（またはベクトル）で時間的に代わる代わる送信され得る。
【０１６９】
図１４に示されたビームフォーミング制御機能１４１８は、探索パイロットを介したプリコーディング操作を制御して最適なプリコーディングの重みを発見することになる。ビームフォーミング制御機能１４１８は、時分割多重（ＴＤＭ）の方法を用いてコードブックの利用可能なすべてのプリコーディングベクトルを掃引する事前に定義されたまたはチャネルに応じた探索パターンを提供する。
【０１７０】
限られた数のエントリを有するコードブックが、プリコーディングの重みに関して定義され得る。ｗｉ，ｉ＝１，２，．．．，Ｎがプリコーディングベクトルを表し、Ｎが利用可能なプリコーディングベクトルの数であるものとする。例えば、ｗ１およびｗ２は、以下の４つのベクトル値を有する可能性がある。
【０１７１】
【数８】
0005577470.tif 000033
【０１７２】
アンテナの切り替えは、以下の２つのプリコーディングベクトルが使用される、ビームフォーミングの特別な場合と見なされ得る。
【０１７３】
【数９】
0005577470.tif 000034
【０１７４】
一実施形態において、探索ベクトルの長さは固定である可能性がある。Ｔｉ，ｉ＝１，２，．．．，Ｎを、個々のプリコーディングベクトルがそれぞれ使用される探索状態の長さとして示す。Ｔｉ，ｉ＝１，２，．．．，Ｎは、異なる値に設定されるか、または同一である可能性がある。１つの探索サイクルの総継続時間、Ｔは、総和Ｔ＝Ｔ１＋Ｔ２＋．．．ＴＮである。時間間隔の単位は、タイムスロット、送信時間間隔（ＴＴＩ）、無線フレームなどである可能性がある。探索パターンは、図１５に示されるように１つまたは複数の探索サイクルからなる可能性がある。図１５は、固定長の探索パターンの例を示す。
【０１７５】
例えば、固定長の探索パターンは、高速なチャネルの状態に関してＴＴＩごとにプリコーディングベクトルを切り替えることによって実施され得る。各探索サイクルは、その探索サイクル独自の継続時間Ｔのための異なる設定がある可能性がある。
【０１７６】
固定長の探索パターンは、ＮｏｄｅＢとＷＴＲＵの両方によって制御され得る。探索パターンがＷＴＲＵによって制御される場合、探索パターンは自律的に働き、ＮｏｄｅＢが事前に決められた探索パターンにしたがってどのプリコーディングベクトルが使用されるのかが分かるように初めにＮｏｄｅＢと同期される必要がある可能性がある。ＮｏｄｅＢとＷＴＲＵの間の同期のために、ＷＴＲＵは、Ｌ１レベルでＮｏｄｅＢに信号を送り、探索サイクルの始まりを示す可能性がある。あるいは、探索パイロットは、プリコーディングベクトルのそれぞれのために異なる変調パターンをそれぞれ有する可能性がある。あるいは、探索パイロットは、探索サイクルの初めに異なる変調パターンを使用する可能性がある。あるいは、探索パイロットは、探索サイクルの終わりに異なる変調パターンを使用する可能性がある。
【０１７７】
探索パターンがＮｏｄｅＢまたは上位レイヤによって制御される場合、探索パターンは、事前に構成される可能性があり、周期的なスケジュールまたはトリガが、パターンの送信を示すために使用される可能性がある。さらなる制御または柔軟性が望まれる場合、ＮｏｄｅＢまたは上位レイヤは、任意の所与の時間にどの重みが送信されるかを制御することができる。これは、使用されるべき特定の重みをシグナリングすることによって、または１組の事前に定置された探索パターンのうちのどの探索パターンが使用され得るかをシグナリングすることによって行われる可能性がある。単一の探索パターンの場合と同様に、送信は、周期的にスケジューリングされるかまたは（要求に応じて）トリガされる可能性がある。
【０１７８】
別の実施形態においては、次の探索状態のためにプリコーディングベクトルを切り替えるべきかどうかを判定する際に、受信機の動作状態が考慮される可能性がある。したがって、１つの特定のプリコーディングベクトルに留まっている継続時間は、必要とされる条件が満たされるか否かに応じて変わり得る可能性がある。切り替えをトリガする要因は、探索パイロットからのチャネル推定の品質、探索パイロットの受信電力、ＷＴＲＵの速度などを含むがこれらに限定されない。
【０１７９】
主ＤＰＣＣＨと副ＤＰＣＣＨを分けるために、それらのＤＰＣＣＨを直交させるために、異なるチャネライゼーション符号が使用され得る。
【０１８０】
別の実施形態においては、同期を目的とする送信のプリコーディングベクトルを区別するために、探索パイロット（例えば、副ＤＰＣＣＨ）で異なる変調パターンが使用される可能性がある。１０ビットのパイロットパターンが、表２５および２６に示すように規定され得る。
【０１８１】
【表２５】
0005577470.tif 000035
【０１８２】
【表２６】
0005577470.tif 000036
【０１８３】
表２６の副探索パイロットの組は、表２５の主探索パイロットの組と直交し、探索モードの始まりを特定するために使用され得る。
【０１８４】
別の実施形態において、探索パイロットパターンは、タイムスロットに固有ではない可能性がある。その代わりに、ビットパターンが、異なるプリコーディングベクトルに関連付けられる可能性がある。表２７および２８は、異なる数のパイロットビットを有する例示的なプリコーディングに固有の探索パイロットパターンを示す。
【０１８５】
【表２７】
0005577470.tif 000037
【０１８６】
【表２８】
0005577470.tif 000038
【０１８７】
表２８においては、合計で１６個のプリコーディングベクトルが考慮される。プリコーディングベクトルの実際の数が１６個未満である場合、それらの探索パイロットパターンの任意のサブセットが使用される可能性があり、または１つのプリコーディングベクトルが複数のパイロットパターンに関連付けられる可能性がある。第２のＤＰＣＣＨの１０ビットのすべてが探索パイロットのために使用される場合、表で指定されていないビットフィールドの残りは「１」に設定される可能性がある。
【０１８８】
上で開示されたパイロットパターンは探索パイロットに関連して設計されているが、その概念はその他の場合に拡大され得ることを理解されたい。
【０１８９】
（例えば、ゆっくりとフェージングするチャネルの状態で）絶えず探索パターンを実行する必要がない場合、探索パイロットは、シグナリングのオーバーヘッドを削減するために無効化される可能性がある。そのような場合、探索パイロットは、間欠送信されるか、または送信を中止される可能性がある。探索パイロットを無効化することおよび有効化することは、新しいＨＳ−ＳＣＣＨ命令またはその他の特別に設計されたダウンリンクのＬ１シグナリングを介して実施され得る。
【０１９０】
図１４の利得制御機能１４２２は、ＴＰＣコマンドを受信し、主ＤＰＣＣＨおよび探索パイロットに対する電力制御を行う。チャネル推定の品質の要件は探索パイロットについてはそれほど高くないので、信号のオーバーヘッドを削減するために、より小さな送信電力が探索パイロットに割り当てられ得る。電力制御を別々に行うことができるように、探索パイロット信号は、物理チャネルの残りによって使用される電力制御ループ内の利得経路（ｇａｉｎ  ｐａｔｈ）を通らない可能性がある。その代わりに、探索パイロット信号は、独自の利得制御を有する可能性がある。利得制御機能１４２２は、２つの利得係数、すなわち、ＤＰＣＣＨおよびそのＤＰＣＣＨを電力の基準として用いるすべてのその他の物理チャネルの送信電力を制御する利得係数（ｇ）と、探索パイロットに関する利得係数（ｇｐｒｏｂ）とを生成する可能性がある。ＤＰＣＣＨの送信電力は、式（１）の電力制御プロシージャによって調整される。一実施形態において、探索パイロットに関する利得係数は、
ｇｐｒｏｂ（ｎ）＝Ａｐｒｏｂｇ（ｎ）          式（１５）
によって計算される可能性があり、ここで、Ａｐｒｏｂはネットワークによってシグナリングされる電力オフセットであり、ｎはタイムスロットのインデックスである。
【０１９１】
この利得係数は、ＴＰＣコマンドがタイムスロットごとに受信されるので動的である可能性がある。プリコーディングベクトルの掃引がＴＤＭに基づいて行われる可能性があるので、送信電力がタイムスロットごとに電力制御ループに結びつけられる場合、探索パイロットの送信電力の変動がＮｏｄｅＢの受信機におけるプリコーディングの重みの選択の公平性に影響を与える可能性がある。この問題を緩和するために、利得固定（ｇａｉｎ  ｆｒｅｅｚｅ）メカニズムが使用され得る。
【０１９２】
利得固定操作は、ｇｐｒｏｂがあらゆるタイムスロットごとにｇにしたがうのではなく、瞬間ｎ０で指定された値で一定に保たれるように
ｇｐｒｏｂ（ｎ）＝Ａｐｒｏｂｇ（ｎ０）          式（１６）
によって定式化され得る。ｎ０は、あらゆる探索サイクルの始まりのタイムスロットのスロットインデックスである可能性がある。あるいは、ｎ０は、探索パターンの始まりのタイムスロットのスロットインデックスである可能性がある。あるいは、ｎ０は、あらゆる探索サイクル内のｋ番目のタイムスロットのスロットインデックスである可能性があり、ｋは、１からＮまでの整数値である可能性がある。あるいは、ｎ０は、あらゆる探索パターン内のｋ番目のタイムスロットのスロットインデックスである可能性があり、ｋは、１から探索パターンの終わりまでの整数値である可能性がある。
【０１９３】
別の実施形態において、ｇｐｒｏｂは、スロットごとに決まった比でｇに結びつけられる可能性がある。電力制御プロシージャによって引き起こされる変動を補償するために、探索パターンの初めから、ＴＰＣコマンドが追跡され、記録される可能性がある。調整後の結果が、最適なプリコーディングベクトルの判定に織り込まれる必要がある。
【０１９４】
【数１０】
0005577470.tif 000039
【０１９５】
ここで、ｉはプリコーディングベクトルのインデックスであり、ｎ１は探索サイクルの開始タイムスロットのインデックスであり、ｎ１はプリコーディングベクトルｉに関する終了タイムスロットのインデックスである。上記のオフセットが、一定の尺度でｄＢに換算して計算される。
【０１９６】
あるいは、探索パイロットは、ｇに結びつけられる可能性があり、探索されるプリコーディングされたチャネルの利得は、現在のプリコーディングされたチャネルに対して相対的に測定される可能性がある。重要な測定値は探索パイロットのプリコーディングが現在選択されているプリコーディングよりも良好なチャネルの利得をもたらしているときであるため、ＮｏｄｅＢがチャネルの品質を改善することに関心があるのでこれが当てはまる。
【０１９７】
コードブックに基づかない探索スキームに関する実施形態が、以降で開示される。図１６は、コードブックに基づかない閉ループの送信ビームフォーミングスキームの例を示す。図１６においては、ＤＰＣＣＨ１ならびにその他のアップリンクチャネル（例えば、Ｅ−ＤＰＤＣＨ、Ｅ−ＤＰＣＣＨ、ＤＰＤＣＨ、およびＨＳ−ＤＰＣＣＨ）が、ベクトル１を用いてプリコーディングブロック１６０２によってプリコーディングされ、探索パイロットチャネルＤＰＣＣＨ２が、ＤＰＣＣＨ１およびその他のアップリンクチャネルに適用されるプリコーディングベクトル１に対する位相の変化を有するベクトル２を用いてプリコーディングブロック１６０４によってプリコーディングされる。位相の変化は、正の値かまたは負の値かのどちらかである可能性があり、時間によって変わる可能性がある。プリコーディングベクトル１  ｗ１＝［ｗ１１  ｗ２１］Ｔならびにプリコーディングベクトル２  ｗ２＝［ｗ１２  ｗ２２］Ｔおよび
【０１９８】
【数１１】
0005577470.tif 000040
【０１９９】
を定義し、ここで、
【０２００】
【数１２】
0005577470.tif 000041
【０２０１】
はクロネッカー積を表す。プリコーディングブロック１６０２および１６０４からのプリコーディングされた成分が、コンバイナ（ｃｏｍｂｉｎｅｒ）１６０６、１６０８によって足され、対応するアンテナに送られる。
【０２０２】
両方のＤＰＣＣＨの測定に基づいて、ＮｏｄｅＢは、
【０２０３】
【数１３】
0005577470.tif 000042
【０２０４】
である可能性がある、ＤＰＣＣＨ１に適用されるべき新しいプリコーディングベクトルをＷＴＲＵにシグナリングする可能性があり、ここで、ｗ１は、ＤＰＣＣＨ１に適用される現在のプリコーディングベクトルを表す。したがって、ダウンリンクで、ＮｏｄｅＢは、１ビットの３値シグナリング（ＤＴＸ、＋１、および−１）を用いて、ＤＰＣＣＨ１の現在のまたは最も最近使用されたプリコーディングベクトルを基準にしてＤＰＣＣＨ１に適用されるべき次のプリコーディングベクトル（すなわち、位相の変化なし、正の位相の変化、および負の位相の変化）に関してＷＴＲＵに示すことができる。位相の変化Δは、準動的に変えられ、上位レイヤを介してＮｏｄｅＢによってＷＴＲＵにシグナリングされ得る。
【０２０５】
圧縮モードのギャップの間の動作に関する実施形態が、以降で開示される。圧縮モードのギャップは、ＷＴＲＵの受信機が、周波数内、周波数間、および／または無線アクセス技術（ＲＡＴ）間の測定を実行するために異なる周波数に再チューニングされる期間である。これらのギャップの間、ＷＴＲＵは、サービングＮｏｄｅＢから電力制御またはプリコーディングの重みの情報を受信しない可能性がある。
【０２０６】
一実施形態において、圧縮モードのギャップの間、ＷＴＲＵは、再開したときにＷＴＲＵが既知の状態にあるようにそのＷＴＲＵのプリコーディングの重みを維持する可能性がある。
【０２０７】
第２のパイロットに関してＤＴＸ動作が構成されているとき、または特定のＤＴＸパターンが構成されているとき、ＷＴＲＵは、圧縮モードのギャップから復帰した後しばらく第２のパイロットを送信しない可能性がある。第２のパイロットがないと（あるいはまた、チャネルサウンディングのための手段がないと）、ＮｏｄｅＢは、チャネルを適切に推定し、使用する最良のプリコーディングの重みを決定しない可能性がある。そのような場合、ＷＴＲＵは、最適でないプリコーディングの重みを用いて動作し、性能の一時的な低下につながる可能性がある。そのような性能の悪化を避けるために、圧縮モードのギャップから復帰すると、ＷＴＲＵは、ＮｏｄｅＢが適切なチャネルの測定を行うために十分な期間、第２のパイロット（またはあるいはサウンディングチャネル）を送信する可能性があり、次いで、ＷＴＲＵは、ダウンリンクの重みの更新情報をリスニングする。
【０２０８】
閉ループ送信ダイバーシティ（ＣＬＴＤ）モードで構成されているＷＴＲＵに関しては、圧縮モードが有効化されるとき、第２のＤＰＣＣＨの導入が原因で、第１のＤＰＣＣＨのパイロットビットの長さに対する第２のＤＰＣＣＨのパイロットビットの長さが、アップリンクの送信電力制御に影響を与える。第２のＤＰＣＣＨのパイロットビットの長さの割り当ておよび対応する電力制御プロシージャに関する実施形態が、以降で開示される。
【０２０９】
一実施形態において、第２のＤＰＣＣＨは、第１のＤＰＣＣＨと同じパイロットビットの長さを割り当てられる可能性がある。したがって、アップリンクの第２のＤＰＣＣＨの圧縮されたフレームおよび圧縮されていないフレームは、スロットごとに異なる数のパイロットビットを有する可能性がある。ＷＴＲＵは、以下のように、ｄＢの第２のＤＰＣＣＨの電力オフセット
【０２１０】
【数１４】
0005577470.tif 000043
【０２１１】
を導出することができる。
【０２１２】
【数１５】
0005577470.tif 000044
【０２１３】
ここで、
【０２１４】
【数１６】
0005577470.tif 000045
【０２１５】
は、最も最近送信されたスロットの第２のＤＰＣＣＨのパイロットビットの数であり、
【０２１６】
【数１７】
0005577470.tif 000046
【０２１７】
は、現在のスロットの第２のＤＰＣＣＨのパイロットビットの数である。各スロットにおいて、ＷＴＲＵは、以下のように第２のＤＰＣＣＨの送信電力を調整することができる。
【０２１８】
【数１８】
0005577470.tif 000047
【０２１９】
この実施形態は、圧縮モードにおいて第１のＤＰＣＣＨと第２のＤＰＣＣＨの間の新しい電力比をシグナリングすることを必要としない可能性がある。さらに、電力制御の後のこの電力比は、Δｄｐｃｃｈ＝Δｓ−ｄｐｃｃｈであるようにほとんどの場合
【０２２０】
【数１９】
0005577470.tif 000048
【０２２１】
に保たれる可能性があり、これは、
【０２２２】
【数２０】
0005577470.tif 000049
【０２２３】
およびΔｓ−ｄｐｃｃｈの明示的な計算が行われない可能性があることを意味する。
【０２２４】
別の実施形態において、第２のＤＰＣＣＨは、圧縮モードの構成と無関係に固定長のパイロットビットを有する可能性がある。例えば、第２のＤＰＣＣＨは、非圧縮モードと圧縮モードの両方で表２のスロットのフォーマット８を使用する可能性がある。この場合、第２のＤＰＣＣＨのパイロットビットの数の変化はなく、すなわち
【０２２５】
【数２１】
0005577470.tif 000050
【０２２６】
であり、したがって、Δｓ−ｄｐｃｃｈ＝ΔＴＰＣ×ＴＰＣ＿ｃｍｄである。一方、ＴＰＣ＿ｃｍｄは、パイロットビットの長さが非圧縮モードと圧縮モードの間で変わる可能性がある第１のＤＰＣＣＨに基づいて生成される可能性がある。圧縮モードでＴｘダイバーシティのないＷＴＲＵのための通常の電力制御を再利用するために、ＷＴＲＵが圧縮モードで動作しているとき、ネットワークは、ＷＴＲＵが非圧縮モードで動作しているときの電力比とは異なる可能性がある、第１のＤＰＣＣＨと第２のＤＰＣＣＨとの新しい電力比をシグナリングする可能性がある。このようにして、第２のＤＰＣＣＨの必要とされる送信電力が調整され得る。第１のＤＰＣＣＨと第２のＤＰＣＣＨとの電力比は、電力制御の後、変わる可能性があるが、ＮｏｄｅＢはその変化を知り得るので、ＮｏｄｅＢの受信機における重みの生成には影響がない。
【０２２７】
別の実施形態においては、ＷＴＲＵは、第１のＤＰＣＣＨと第２のＤＰＣＣＨの間のパイロット電力の同じ比を維持する可能性がある。圧縮モードの間、第１のＤＰＣＣＨのパイロットの数および第１のＤＰＣＣＨの電力が変わる場合、ＷＴＲＵは、第１のＤＰＣＣＨの総パイロット電力に対する第２のＤＰＣＣＨの総パイロット電力の比を同じに維持するために第２のＤＰＣＣＨに電力オフセットを適用する可能性がある。
【０２２８】
通常の第１のＤＰＣＣＨに対する第２のＤＰＣＣＨの利得係数は、ネットワークによって構成される可能性があり、以下のように計算される。
βＳＣ＝βＣＡＳＣ          式（２０）
ここで、βＣは通常の方法を用いてシグナリングまたは計算され、ＡＳＣはネットワークによってシグナリングされる第２のＤＰＣＣＨに関する量子化された振幅の比である。非圧縮モードにおいて、ＷＴＲＵは、第２のＤＰＣＣＨに関してこの利得係数を使用する可能性がある。第１のＤＰＣＣＨおよび第２のＤＰＣＣＨに関する通常モードにおける１スロット内のパイロットシンボルの数がそれぞれＮｐｉｌｏｔおよびＮＳＣ，ｐｉｌｏｔであり、圧縮モードにおいては、第１のＤＰＣＣＨおよび第２のＤＰＣＣＨの１スロット内のパイロットシンボルの数がそれぞれ
【０２２９】
【数２２】
0005577470.tif 000051
【０２３０】
および
【０２３１】
【数２３】
0005577470.tif 000052
【０２３２】
であると仮定する。
【０２３３】
第２のＤＰＣＣＨのパイロットシンボルの数は、
【０２３４】
【数２４】
0005577470.tif 000053
【０２３５】
であるようにモード（通常モードまたは圧縮モード）にかかわらず一定のままである可能性がある。あるいは、第２のＤＰＣＣＨと第１のＤＰＣＣＨの間のパイロットシンボルの数は、各モードで同じ、つまり、Ｎｐｉｌｏｔ＝ＮＳＣ，ｐｉｌｏｔおよび
【０２３６】
【数２５】
0005577470.tif 000054
【０２３７】
である可能性がある。
【０２３８】
ＷＴＲＵが圧縮モードであるとき、第２のＤＰＣＣＨに関する利得係数
【０２３９】
【数２６】
0005577470.tif 000055
【０２４０】
は以下のように計算され得る。
【０２４１】
【数２７】
0005577470.tif 000056
【０２４２】
ここで、βｃ，Ｃ，ｊは、通常の方法で計算される。
【０２４３】
第２のＤＰＣＣＨのパイロットの数が圧縮モードのときに変わらない場合、式（２１）の平方根の中の最初の項は１になり、圧縮モードにおける第２のＤＰＣＣＨに関する利得係数はＷＴＲＵによって以下のように計算され得る。
【０２４４】
【数２８】
0005577470.tif 000057
【０２４５】
第２のＤＰＣＣＨと第１のＤＰＣＣＨの間のパイロットシンボルの数が各モードで同じであるとき、ＷＴＲＵは、利得係数を圧縮モード中に以下のように計算することができる。
【０２４６】
【数２９】
0005577470.tif 000058
【０２４７】
ＣＬＴＤまたはＭＩＭＯなどのアップリンクのマルチアンテナ送信における２つのＤＰＣＣＨを用いて構成されたＷＴＲＵに関する間欠的なアップリンクのＤＰＣＣＨの動作のための実施形態が、以降で開示される。これらの実施形態によって、Ｌ１制御シグナリング（すなわち、ＤＰＣＣＨ）からのＷＴＲＵの電力消費およびオーバーヘッドならびにアップリンクの干渉が、削減される。アップリンクの第１のおよび第２のＤＰＣＣＨのバーストパターンならびにアップリンクの第１のおよび第２のＤＰＣＣＨのプリアンブルおよびポストアンブルは、ＤＴＸ動作を含む。
【０２４８】
ＤＰＣＣＨのＤＴＸは、アンテナごとに制御され得る。一実施形態においては、ｉ＝１，２とした単一のＵＬ  ＤＴＸ状態変数、ＵＬ＿ＤＴＸ＿Ａｃｔｉｖｅ＝ＵＬ＿ＤＴＸ＿Ａｃｔｉｖｅ（ｉ）が、２つのアンテナに関して保有され、評価される可能性がある。共通のＵＬ＿ＤＴＸ＿Ａｃｔｉｖｅが、構成されるＤＰＣＣＨの数に関係なくＷＴＲＵに対して使用される可能性がある。別の実施形態においては、別個のＵＬ  ＤＴＸ状態変数が、アンテナごとに保有され、評価される可能性がある。ＵＬ＿ＤＴＸ＿Ａｃｔｉｖｅ（ｉ）は、ｉ番目のアップリンクのＤＰＣＣＨが送信されるｉ番目のアンテナに関するＵＬ  ＤＴＸ状態変数である。
【０２４９】
２つのＤＰＣＣＨのＤＴＸ動作の制御は、アンテナごとに実行され得る。ＵＬ＿ＤＴＸ＿Ａｃｔｉｖｅ（ｉ）が真であるとき、ＷＴＲＵは、ｉ番目のアンテナに関して以下の条件のすべてが満たされるとき、そのアンテナのスロットでｉ番目のＤＰＣＣＨを送信しない可能性がある。（１）ｉ番目のアップリンクのＤＰＣＣＨのスロットと重なるＨＳ−ＤＰＣＣＨ上のＨＡＲＱ−ＡＣＫ送信が存在しないこと、（２）ｉ番目のアップリンクのＤＰＣＣＨのスロットと重なる、示されるようなＨＳ−ＤＰＣＣＨ上のＣＱＩ送信が存在しないこと、（３）ｉ番目のアップリンクのＤＰＣＣＨのスロットの間にＥ−ＤＣＨの送信が存在しないこと、（４）スロットが、ｉ番目のアップリンクのＤＰＣＣＨのバーストパターンのギャップ中にあること、および（５）ｉ番目のアップリンクのＤＰＣＣＨのプリアンブルまたはポストアンブルがそのスロットで送信されないこと。
【０２５０】
あるいは、２つのＤＰＣＣＨのＤＴＸ動作の制御は、２つのアンテナで共通である可能性がある。ＵＬ＿ＤＴＸ＿Ａｃｔｉｖｅ（ｉ）がｉ＝１および２に対して真であるとき、ＷＴＲＵは、すべての上記の条件（１）〜（５）が両方のアンテナに関して満たされるとき、第１のＤＰＣＣＨも第２のＤＰＣＣＨも送信しない可能性がある。
【０２５１】
ＤＰＣＣＨのＤＴＸは、ＤＰＣＣＨごとに制御され得る。一実施形態においては、ｉ＝１，２とした単一のＵＬ  ＤＴＸ状態変数、ＵＬ＿ＤＴＸ＿Ａｃｔｉｖｅ＝ＵＬ＿ＤＴＸ＿Ａｃｔｉｖｅ（ｉ）が、２つのＤＰＣＣＨに関して保有され、評価される可能性がある（すなわち、共通のＵＬ＿ＤＴＸ＿Ａｃｔｉｖｅ状態変数が２つのＤＰＣＣＨに対して使用される）。別の実施形態においては、別個のＵＬ  ＤＴＸ状態変数が、各ＤＰＣＣＨに関して保有され、評価される。ＵＬ＿ＤＴＸ＿Ａｃｔｉｖｅ（ｉ）は、ｉ番目のアップリンクのＤＰＣＣＨに関するＵＬ  ＤＴＸ状態変数である。
【０２５２】
２つのＤＰＣＣＨのＤＴＸ動作の制御は、ＤＰＣＣＨごとに実行され得る。ＵＬ＿ＤＴＸ＿Ａｃｔｉｖｅ（ｉ）が真であるとき、ＷＴＲＵは、１つまたは２つのアンテナに関してすべての上記の条件（１）〜（５）が満たされるとき、そのアンテナのスロットでｉ番目のアップリンクのＤＰＣＣＨを送信しない可能性がある。
【０２５３】
あるいは、２つのＤＰＣＣＨのＤＴＸ動作の制御は、２つのＤＰＣＣＨで共通である可能性がある。ＵＬ＿ＤＴＸ＿Ａｃｔｉｖｅ（ｉ）がｉ＝１および２に対して真であるとき、ＷＴＲＵは、すべての上記の条件（１）〜（５）が両方のＤＰＣＣＨに関して満たされるとき、第１のＤＰＣＣＨも第２のＤＰＣＣＨも送信しない可能性がある。
【０２５４】
ＵＬの第１のおよび第２のＤＰＣＣＨのバーストパターンに関する実施形態が、以降で開示される。
【０２５５】
一実施形態においては、第１のＤＰＣＣＨと第２のＤＰＣＣＨの両方に共通のＤＰＣＣＨのバーストパターンが適用される可能性がある（すなわち、第２のＤＰＣＣＨのバーストパターンは、第１のＤＰＣＣＨのバーストパターンと同じである）。
【０２５６】
別の実施形態において、第１のおよび第２のＤＰＣＣＨのバーストパターンは、独立に構成される可能性があり、すなわち、第２のＤＰＣＣＨのバーストパターンは、第１のＤＰＣＣＨのバーストパターンと同じであるかまたは異なる可能性がある。
【０２５７】
以下のパラメータが、第１のおよび第２のＤＰＣＣＨのバーストパターンを導出するためにＤＰＣＣＨごとに構成され得る。ｉ＝１，２であるｉ番目のＵＬ  ＤＰＣＣＨに関して、ＵＥ＿ＤＴＸ＿ｃｙｃｌｅ１（ｉ）はサブフレームにおけるｉ番目のアップリンクのＤＰＣＣＨのバーストパターンの長さであり、ＵＥ＿ＤＴＸ＿ｃｙｃｌｅ２（ｉ）はサブフレームにおけるｉ番目のアップリンクのＤＰＣＣＨのバーストパターンの長さである。Ｉｎａｃｔｉｖｉｔｙ＿Ｔｈｒｅｓｈｏｌｄ＿ｆｏｒ＿ＵＥ＿ＤＴＸ＿ｃｙｃｌｅ＿２（ｉ）は、Ｅ−ＤＣＨを送信しない連続するＥ−ＤＣＨのＴＴＩの数を定義し、それらのＴＴＩの後、ＷＴＲＵは、ＵＥ＿ＤＴＸ＿ｃｙｃｌｅ＿１（ｉ）からＵＥ＿ＤＴＸ＿ｃｙｃｌｅ＿２（ｉ）に移行する可能性がある。ＵＥ＿ＤＰＣＣＨ＿ｂｕｒｓｔ＿１（ｉ）は、ＵＥ＿ＤＴＸ＿ｃｙｃｌｅ＿１（ｉ）が適用されるときにサブフレームにおけるｉ番目のアップリンクのＤＰＣＣＨのバーストの長さを決定する。ＵＥ＿ＤＰＣＣＨ＿ｂｕｒｓｔ＿２（ｉ）は、ＵＥ＿ＤＴＸ＿ｃｙｃｌｅ＿２（ｉ）が適用されるときにサブフレームにおけるｉ番目のアップリンクのＤＰＣＣＨのバーストの長さを決定する。ＵＥ＿ＤＴＸ＿ＤＲＸ＿Ｏｆｆｓｅｔ（ｉ）は、サブフレームにおけるｉ番目のアップリンクのＤＰＣＣＨのバーストパターンおよびＨＳ−ＳＣＣＨの受信パターンのオフセットである。
【０２５８】
別の実施形態において、第１のおよび第２のＤＰＣＣＨのバーストパターンは、ｉ＝１および２として２つのＤＰＣＣＨのバーストパターンに関して異なるＵＥ＿ＤＴＸ＿ＤＲＸ＿Ｏｆｆｓｅｔ（ｉ）を構成することによって２つのＤＰＣＣＨのバーストパターンのＤＰＣＣＨのバーストがＴＤＭ式に送信されるように定義され得る。この実施形態は、ＨＳ−ＤＰＣＣＨが、第２のＤＰＣＣＨのバーストパターンを同時に送信する必要がない可能性がある第１のアンテナで第１のＤＰＣＣＨのバーストパターンを用いて送信される場合に有用である可能性がある。この実施形態は、アンテナ切り替え送信ダイバーシティ（ａｎｔｅｎｎａ  ｓｗｉｔｃｈｉｎｇ  ｔｒａｎｓｍｉｔ  ｄｉｖｅｒｓｉｔｙ）のためにも有用である可能性がある。図１７Ａおよび図１７Ｂは、それぞれ異なるＵＥ＿ＤＴＸ＿ＤＲＸ＿Ｏｆｆｓｅｔを用いる２つのアップリンクのＤＰＣＣＨのバーストパターンの例を示す。図１７Ａにおいて、２ｍｓのＥ−ＤＣＨのＴＴＩに関する第１のアップリンクのＤＰＣＣＨのバーストパターンは、ＵＥ＿ＤＴＸ＿ＤＲＸ＿Ｏｆｆｓｅｔ（１）＝６を用いてＣＦＮ＝１で始まる。図１７Ｂにおいて、２ｍｓのＥ−ＤＣＨのＴＴＩに関する第２のアップリンクのＤＰＣＣＨのバーストパターンは、ＵＥ＿ＤＴＸ＿ＤＲＸ＿Ｏｆｆｓｅｔ（２）＝７を用いてＣＦＮ＝１で始まる。
【０２５９】
ＤＰＣＣＨのみの送信、Ｅ−ＤＣＨの送信、またはＨＳ−ＤＰＣＣＨの送信が、ｉ番目のアップリンクのＤＰＣＣＨのプリアンブルおよびポストアンブルと同じアンテナで搬送されるとき、第１のＤＰＣＣＨのプリアンブルおよびポストアンブルと第２のＤＰＣＣＨのプリアンブルおよびポストアンブルの両方に同じ構成が適用され得る。あるいは、第１のおよび第２のＤＰＣＣＨのプリアンブルおよびポストアンブルに関するパラメータは、個々に構成される可能性がある。例えば、スロットでＵＥ＿ＤＴＸ＿ｃｙｃｌｅ＿２（ｉ）に関連するプリアンブルの長さが、ＤＰＣＣＨごとに個々に構成される可能性がある（すなわち、ＵＥ＿ＤＴＸ＿ｌｏｎｇ＿ｐｒｅａｍｂｌｅ＿ｌｅｎｇｔｈ（ｉ）が、ｉ＝１および２に関して同じであるかまたは異なる可能性がある）。
【０２６０】
物理ランダムアクセスチャネル（ＰＲＡＣＨ）の送信に関する実施形態が、以降で開示される。
【０２６１】
ＷＴＲＵが２つの送信アンテナを備えているとき、ＷＴＲＵは、２つのアンテナから等しい電力で同じビットを送信する可能性がある。図１８は、この実施形態による２つの送信アンテナを用いた例示的なＰＲＡＣＨの送信を示す。図１８においては、同じＲＡＣＨプリアンブルビット１８０２が、２つのアンテナから等しい電力で送信される。
【０２６２】
第２のアンテナにおけるメッセージ部のスロットおよびフレーム構造は、第１のアンテナにおけるメッセージ部のスロットおよびフレーム構造と同じである可能性がある。メッセージ部は、データ部ならびに制御部（パイロットビットおよびＴＦＣＩビット）を含む。同じデータ部のビットが、２つのアンテナから等しい電力で送信される可能性がある。反復送信は、制御部のＴＦＣＩビットにも適用される可能性がある。第２のアンテナで送信される制御部のパイロットビットは、第１のアンテナで送信されるパイロットビットと同じである可能性がある。
【０２６３】
別の実施形態において、第２のアンテナでの送信は間欠送信される可能性があり、ＰＲＡＣＨプリアンブルおよびメッセージ部は第１のアンテナで送信される可能性がある。
【０２６４】
別の実施形態においては、アンテナ切り替えスキームがＰＲＡＣＨに適用される可能性がある。図１９は、アンテナ切り替えを用いるＰＲＡＣＨの例示的な送信を示す。図１９に示されるように、ＰＲＡＣＨプリアンブルおよびメッセージ部は、ある送信において第１のアンテナで送信され、次の送信において第２のアンテナで送信される。
【０２６５】
別の実施形態においては、ビームフォーミングが、ＰＲＡＣＨの送信に適用される可能性がある。図２０は、ビームフォーミングを適用する例示的なＰＲＡＣＨの送信を示す。ＷＴＲＵは、肯定応答が受信されない場合、ＰＲＡＣＨプリアンブルを繰り返し送信する。ＷＴＲＵは、それぞれのプリアンブルの送信に異なるビームフォーミングの重みを適用する。ＷＴＲＵは、プリアンブルの電力をランプする前にそれぞれの重みに対して同じ電力でプリアンブルを送信する可能性がある。このようにして、ＷＴＲＵは、ＲＡＣＨ送信のための適切な送信電力とビームフォーミングの重みの両方を学習することができる。
【０２６６】
あるいは、ＷＴＲＵは、どの重みが使用されるかにかかわらずそれぞれのプリアンブルの送信でプリアンブルの送信電力をランプアップする可能性がある。ランプステップのサイズは、送信と正しいビームフォーミングの重み／電力とに適時よりよい妥協点を与えるように調整され得る。重み（Ｗ１，Ｗ２，．．Ｗｎ）が適用される順序およびどの重みが送信されるかが、最適化され得る。
【０２６７】
最大電力を処理するための実施形態が、以降で開示される。必要とされる送信電力が最大許容送信電力を超えるとき、ＷＴＲＵは、アップリンクの物理チャネルの送信電力を削減する可能性がある。制御チャネルのオーバーヘッドを減らすために、第２のＤＰＣＣＨは、間欠送信されるか、または周期的にゲート制御される可能性がある。以降、電力のスケーリングは、プリコーディングの前に測定される電力を指す。
【０２６８】
一実施形態においては、第２のＤＰＣＣＨが今度のスロットで送信されない場合、通常の電力のスケーリングの規則が使用される可能性がある。第２のＤＰＣＣＨが今度のスロットで送信される場合は、等しいスケーリングが、プリコーディングの前に２つのＤＰＣＣＨに適用される可能性がある。言い換えると、通常の電力のスケーリングの規則を適用するとき、２つのＤＰＣＣＨは、電力のスケーリングの観点から見て単一のまたは１つにまとめられたＤＰＣＣＨとして扱われる。この実施形態においては、ＮｏｄｅＢが重みを生成する目的でプリコーディングされていないチャネルを復元するために２つのＤＰＣＣＨの間の電力比をアップリンクでシグナリングする必要がない。
【０２６９】
別の実施形態においては、２つのＤＰＣＣＨは、データチャネルを縮小した後、順次縮小される可能性がある。ＷＴＲＵの総送信電力が最大許容値を超える場合、データチャネルが、最高で許容最小値まで縮小される。ＷＴＲＵの総送信電力が最大許容値をまだ超えている場合、第２のＤＰＣＣＨが今度のスロットで送信されるならば、第２のＤＰＣＣＨが、最高で最小値βｃ２，ｍｉｎまで縮小される可能性がある。ＷＴＲＵの総送信電力が最大許容値をまだ超えている場合、総送信電力が最大許容電力以下になるまで、総送信電力が縮小される可能性がある（すなわち、すべての物理チャネルが等しく縮小される）。
【０２７０】
別の実施形態においては、データチャネルを縮小する前に第２のＤＰＣＣＨが最初に縮小される。ＷＴＲＵの総送信電力が最大許容値を超える場合、第２のＤＰＣＣＨが今度のスロットで送信されるならば、第２のＤＰＣＣＨが、最高で最小値βｃ２，ｍｉｎまで縮小される可能性がある。ＷＴＲＵの総送信電力が最大許容値をまだ超えている場合、データチャネルが、最高で許容最小値まで縮小される。ＷＴＲＵの総送信電力が最大許容値をまだ超えている場合、総送信電力が最大許容電力以下になるまで、総送信電力が縮小される（すなわち、すべての物理チャネルが等しく縮小される）。
【０２７１】
βｃ２，ｍｉｎは、事前に定義されるか、または上位レイヤによって構成される可能性がある。βｃ２，ｍｉｎの範囲は、最小の削減されたＥ−ＤＰＤＣＨの利得係数βｅｄ，ｋ，ｒｅｄｕｃｅｄ，ｍｉｎの範囲と同じである可能性がある。あるいは、βｃ２，ｍｉｎの範囲は、新しい１組の列挙された値である可能性がある。あるいは、βｃ２，ｍｉｎは、固定値である可能性がある（例えば、βｃ２，ｍｉｎ＝０であり、これは、第２のＤＰＣＣＨをオフにする特別な場合を意味する）。
【０２７２】
別の実施形態において、ＷＴＲＵは、必要とされる送信電力が最大許容送信電力を超える場合、第２のＤＰＣＣＨをオフにし、非送信ダイバーシティモードに戻るように自律的に切り替わる。ＷＴＲＵがまだ電力を制限される場合、通常の電力のスケーリングが適用され得る。
【０２７３】
別の実施形態においては、ＣＬＴＤが無効化される可能性があり、この無効化は、それに応じて第２のアンテナおよび第２のＤＰＣＣＨの送信をオフにすることを含む可能性がある。
【０２７４】
アンテナのための空間が非常に限られているＷＴＲＵに当てはまる２つの送信アンテナが均衡していない場合、チャネル状態情報（ＣＳＩ）の振幅の情報が、プリコーディングベクトルに含められる可能性がある。プリコーディングベクトル内に振幅の情報を有することは、２つの送信アンテナにおいて等しくない送信電力を生じる可能性がある。これは、各アンテナについて１つずつ２つの全出力（ｆｕｌｌ−ｐｏｗｅｒ）電力増幅器（ＰＡ）を備えたＷＴＲＵに関しては問題にならない可能性がある。ＷＴＲＵのコストとさらには電力消費とを節約するために、ＷＴＲＵは、一方のアンテナのために１つの全出力ＰＡを備え、他方のアンテナのために１つの半出力（ｈａｌｆ−ｐｏｗｅｒ）ＰＡを備えるか、または２つのアンテナのために２つの半出力ＰＡを備える可能性がある。そのようなＷＴＲＵに関しては、送信電力が半出力ＰＡの最大許容電力を超える可能性があるときに特別な処理が必要とされ得る。
【０２７５】
以下で、半出力ＰＡの最大許容電力ＰＨと、全出力ＰＡの最大許容電力ＰＦとを定義する。通常、ＰＦ＝２ＰＨである。半出力ＰＡを備えたアンテナで必要とされる送信電力Ｐと、必要とされる総送信電力Ｐｔｏｔと、ＷＴＲＵにおける合計最大許容送信電力Ｐｍａｘとを定義する。概して、Ｐｍａｘ≦ＰＦである。プリコーディングの重みベクトルは、２つの部分、すなわち、振幅の情報と位相の情報とを含む。
【０２７６】
Ｐｔｏｔ＞Ｐｍａｘである場合、ＷＴＲＵは、最大電力のスケーリングを最初に実行する可能性がある。そうでない場合、以下のステップが実行される。Ｐ＞ＰＨである場合、ＷＴＲＵは、ＮｏｄｅＢによって示されたプリコーディングの重みベクトルの振幅の要素を無視し、このプリコーディングの重みベクトルの位相の要素を適用する可能性がある。例えば、αが振幅の情報であり、θが位相の情報であるものとしてプリコーディングの重みベクトルが
【０２７７】
【数３０】
0005577470.tif 000059
【０２７８】
と表される場合、ＷＴＲＵによって適用されるべき新しいプリコーディングの重みベクトルは、位相の情報だけを有し、すなわち、
【０２７９】
【数３１】
0005577470.tif 000060
【０２８０】
である可能性がある。ＮｏｄｅＢの受信機は、２つの仮定を調べることによってＷＴＲＵにおいてどのプリコーディングの重みベクトルが適用されたかを判別することができる。Ｐ≦ＰＨである場合、ＷＴＲＵは、ＮｏｄｅＢによって示されたプリコーディングの重みベクトルにしたがう可能性がある。
【０２８１】
Ｅ−ＴＦＣの制限のための正規化残存電力マージン（ＮＲＰＭ）を計算するための実施形態が、以降で開示される。
【０２８２】
ＷＴＲＵの送信機で第２のＤＰＣＣＨを導入したことにより、ＮＲＰＭを計算するとき、第２のＤＰＣＣＨの電力のオーバーヘッドが考慮される可能性がある。さらに、第２のＤＰＣＣＨがゲート制御され得るので、ＤＰＣＣＨのゲート制御サイクルも考慮される可能性がある。
【０２８３】
第２のＤＰＣＣＨを用いる場合、Ｅ−ＴＦＣの候補ｊに関するＮＲＰＭは、以下のように計算され得る。
【０２８４】
ＮＲＰＭｊ＝（ＰＭａｘｊ−ＰＤＰＤＣＨ−ＰＤＰＣＣＨ１，ｔａｒｇｅｔ−ＰＤＰＣＣＨ２−ＰＨＳ−ＤＰＣＣＨ−ＰＥ−ＤＰＣＣＨ，ｊ）／ＰＤＰＣＣＨ１，ｔａｒｇｅｔ          式（２４）
ここで、ＤＰＣＣＨ１は、ＨＳ−ＤＰＣＣＨ、Ｅ−ＤＰＣＣＨ、ＤＰＤＣＨ、およびＥ−ＤＰＤＣＨと一緒にプリコーディングされる主ＤＰＣＣＨであり、ＤＰＣＣＨ２は、副ＤＰＣＣＨである。
【０２８５】
ＤＰＣＣＨ２がＤＰＣＣＨ１と一緒に送信される場合、ＰＤＰＣＣＨ２は、ＰＤＰＣＣＨ１，ｔａｒｇｅｔと上位レイヤからシグナリングされる利得係数γとに基づいて推定され得る。例えば、ＰＤＰＣＣＨ２は、以下のように計算され得る。
ＰＤＰＣＣＨ２＝γ２×ＰＤＰＣＣＨ１，ｔａｒｇｅｔ          式（２５）
【０２８６】
ゲート制御されるＤＰＣＣＨ２が有効化される場合、以下の実施形態が、ＰＤＰＣＣＨ２を計算するために使用され得る。一実施形態において、推定されるＤＰＣＣＨ２の送信電力ＰＤＰＣＣＨ２は、ＰＤＰＣＣＨ１，ｔａｒｇｅｔ、上位レイヤからシグナリングされる利得係数γ、および次に行われる送信に関するＴＴＩ内で間欠送信されないスロットの数（Ｎ）に基づいて計算され得る。例えば、ＰＤＰＣＣＨ２は、以下のように計算され得る。
ＰＤＰＣＣＨ２＝（Ｎ／ＮＴＴＩ）×γ２×ＰＤＰＣＣＨ１，ｔａｒｇｅｔ          式（２６）
ここで、２ｍｓのＴＴＩに対してＮＴＴＩ＝３であり、１０ｍｓのＴＴＩに対してＮＴＴＩ＝１５である。
【０２８７】
別の実施形態において、推定されるＤＰＣＣＨ２の送信電力ＰＤＰＣＣＨ２は、ＰＤＰＣＣＨ１，ｔａｒｇｅｔ、上位レイヤからシグナリングされる利得係数γ、および送信されるまたは間欠送信されないＤＰＣＣＨ２のスロットの数Ｎｔｘと１つの無線フレームのスロットの数Ｎｆｒａｍｅとの比として定義されるＤＰＣＣＨ２のＤＴＸサイクルに基づいて計算され得る。例えば、ＰＤＰＣＣＨ２は、以下のように計算され得る。
ＰＤＰＣＣＨ２＝（Ｎｔｘ／Ｎｆｒａｍｅ）×γ２×ＰＤＰＣＣＨ１，ｔａｒｇｅｔ          式（２７）
ここで、Ｎｆｒａｍｅ＝１５である。
【０２８８】
別の実施形態において、推定されるＤＰＣＣＨ２の送信電力ＰＤＰＣＣＨ２は、ＰＤＰＣＣＨ１，ｔａｒｇｅｔと上位レイヤからシグナリングされる利得係数γとに基づいて計算され得る。例えば、ＰＤＰＣＣＨ２は、以下のように計算され得る。
ＰＤＰＣＣＨ２＝γ２×ＰＤＰＣＣＨ１，ｔａｒｇｅｔ          式（２８）
【０２８９】
別の実施形態において、推定されるＤＰＣＣＨ２の送信電力ＰＤＰＣＣＨ２は、０に設定される可能性がある。
【０２９０】
ＵＥ電力ヘッドルーム（ＵＰＨ）の測定のための実施形態が、以降で開示される。アップリンクの閉ループ送信ダイバーシティスキームで第２のＤＰＣＣＨを導入したことにより、通常のＵＰＨの測定プロシージャが修正される必要がある。
【０２９１】
一実施形態において、ＵＰＨの計算は、第２のＤＰＣＣＨが間欠送信されないスロットに関して第２のＤＰＣＣＨを考慮する可能性がある。それぞれのアクティブ化されるアップリンクの周波数に関して、最大のＷＴＲＵの送信電力（Ｐｍａｘ，ｔｘ）とＤＰＣＣＨの符号の電力（ｃｏｄｅ  ｐｏｗｅｒ）との比であるＵＰＨは、以下のように計算され得る。
ＵＰＨ＝Ｐｍａｘ，ｔｘ／（ＰＤＰＣＣＨ１＋ＰＤＰＣＣＨ２）          式（２９）
ここで、ＰＤＰＣＣＨ１、ＰＤＰＣＣＨ２は、プリコーディングの前のＤＰＣＣＨの送信される符号の電力である。ＤＰＣＣＨ２が間欠送信されるスロットに関しては、ＰＤＰＣＣＨ２＝０である。
【０２９２】
別の実施形態において、ＵＰＨの計算は、スケジューリングを目的としてＮｏｄｅＢが利得係数γおよびＤＰＣＣＨ２のＤＴＸサイクルに基づいて真のＵＰＨを計算することができるとき、第１のＤＰＣＣＨを考慮する可能性がある。ＵＰＨは、以下のように計算され得る。
ＵＰＨ＝Ｐｍａｘ，ｔｘ／ＰＤＰＣＣＨ１          式（３０）
【０２９３】
別の実施形態においては、ＵＰＨの計算は、第２のＤＰＣＣＨが間欠送信されるスロットに関してさえも第２のＤＰＣＣＨを考慮する可能性がある。ＵＰＨは、以下のように計算され得る。
ＵＰＨ＝Ｐｍａｘ，ｔｘ／（ＰＤＰＣＣＨ１＋ＰＤＰＣＣＨ２）＝ＵＰＨ＝Ｐｍａｘ，ｔｘ／（（１＋γ２）ＰＤＰＣＣＨ１）          式（３１）
【０２９４】
レポートされるＵＰＨは、ある期間のＵＰＨの平均値の推定値である可能性がある。
【０２９５】
ＨＳＵＰＡのＣＬＴＤおよびＵＬ  ＭＩＭＯで拡張された位相参照の動作をサポートするための実施形態が、以降で開示される。
【０２９６】
高データ転送速度がＥ−ＤＰＤＣＨで使用されるとき、通常のＨＳＵＰＡ（ｈｉｇｈ  ｓｐｅｅｄ  ｕｐｌｉｎｋ  ｐａｃｋｅｔ  ａｃｃｅｓｓ）のアップリンクシステムは、Ｅ−ＤＰＣＣＨの送信電力がブーストされるように拡張された位相参照をサポートする。閉ループ送信ダイバーシティまたはＭＩＭＯマルチストリーム動作を用いるＨＳＵＰＡに関しては、改善された高データ転送速度の位相参照の性能を実現するために拡張された位相参照がサポートされ得る。
【０２９７】
ＣＬＴＤおよびＭＩＭＯのＨＳＵＰＡに関しては、サービングＮｏｄｅＢがＷＴＲＵにフィードバックされるべきプリコーディングの重みを決定するのを支援するために、第２のパイロット（例えば、第２のＤＰＣＣＨ）が送信される可能性がある。第２のＤＰＣＣＨの送信電力は、プリコーディングベクトルの生成のためのより正確なチャネル推定、および／または第２のストリームのための拡張された位相参照を行うためにブーストされる可能性がある。
【０２９８】
第１のＤＰＣＣＨは、Ｅ−ＤＰＤＣＨと同じプリコーディングベクトルを用いてプリコーディングされる可能性があり、第２のＤＰＣＣＨは、異なるプリコーディングベクトルを用いてプリコーディングされる可能性がある。マルチストリームのＭＩＭＯの場合、第２のＤＰＣＣＨは符号化される可能性がある。
【０２９９】
高データ転送速度の送信のためにＥ−ＤＰＤＣＨの復調の性能を向上させるために、Ｅ−ＤＰＣＣＨの送信電力が、ＨＳＵＰＡのＣＬＴＤおよび／またはＭＩＭＯのＨＳＵＰＡにおいてブーストされ得る。この場合、ｉ番目のＥ−ＴＦＣに関する量子化されていない第２のＤＰＣＣＨの利得係数、βｓｃ，ｉ，ｕｑは以下のように計算され得る。
【０３００】
【数３２】
0005577470.tif 000061
【０３０１】
ここで、γは、拡張された位相参照が有効化されないときに第２のＤＰＣＣＨの利得係数βｓｃ＝γ・βｃであるようなスケーリングの係数であり、βｓｃ，ｉ，ｕｑは、“３ＧＰＰ  ＴＳ２５．２１４”の通りに定義され、計算される。βｓｃ，ｉ，ｕｑは、事前に定義された量子化テーブルにしたがってさらに量子化される可能性がある。
【０３０２】
別の実施形態において、βｓｃ，ｉ，ｕｑは、ｉ番目のＥ−ＴＦＣに関する量子化されたＥ−ＤＰＣＣＨの利得係数βｅｃ，ｉに基づいて以下のように計算され得る。
【０３０３】
【数３３】
0005577470.tif 000062
【０３０４】
別の実施形態において、βｓｃ，ｉ，ｕｑは、以下のように計算され得る。
【０３０５】
【数３４】
0005577470.tif 000063
【０３０６】
ここで、ΔＴ２ＴＰは、上位レイヤによってシグナリングされ、“３ＧＰＰ  ＴＳ２５．２１３”に定義されており、βｅｄ，ｉ，ｋは、ｋ番目の物理チャネルにおけるｉ番目のＥ−ＴＦＣに関するＥ−ＤＰＤＣＨの利得係数であり、ｋｍａｘ，ｉは、ｉ番目のＥ−ＴＦＣのために使用される物理チャネルの数である。
【０３０７】
上述の実施形態のすべてにおいて、第２のＤＰＣＣＨの利得係数は、動的に計算される可能性があり、データトラフィックに基づく可能性がある。あるいは、ブーストされる第２のＤＰＣＣＨの利得係数は、例えば、以下のように準動的に設定され得る。
βｓｃ＝γｂｏｏｓｔ・βｃ          式（３５）
ここで、γｂｏｏｓｔは、ＲＲＣシグナリングによってシグナリングされる可能性があり、γｂｏｏｓｔ＞γである。
【０３０８】
別の実施形態においては、第１のＤＰＣＣＨの送信電力が、高データ転送速度の送信のためにＥ−ＤＰＤＣＨの復調の性能を向上させるためにブーストされ得る。この場合、ｉ番目のＥ−ＴＦＣに関する量子化されていない第２のＤＰＣＣＨの利得係数、βｓｃ，ｉ，ｕｑは以下のように計算され得る。
【０３０９】
【数３５】
0005577470.tif 000064
【０３１０】
あるいは、ブーストされるＤＰＣＣＨの利得係数が、初めに以下のように計算される可能性があり、
【０３１１】
【数３６】
0005577470.tif 000065
【０３１２】
次いで、第２のＤＰＣＣＨの利得係数が、ブーストされるＤＰＣＣＨの利得係数に基づいて以下のように計算され得る。
βｓｃ＝γ・βｃ，ｂｏｏｓｔ          式（３８）
【０３１３】
上述の実施形態において、第２のＤＰＣＣＨの電力は、ＣＬＴＤの重み生成の性能を改善するためのより正確なチャネル推定、および／またはＭＩＭＯ動作の第２のストリームに関する拡張された位相参照を行うためにブーストされる。
【０３１４】
ＣＬＴＤ送信機の構造が第２のＤＰＣＣＨが特定のスロットで間欠送信されることを可能にすることを踏まえると、ＣＬＴＤ動作に関しては、第２のＤＰＣＣＨの送信電力をブーストする代わりに、第２のＤＰＣＣＨのスロットが、通常モードよりも拡張された位相参照が必要とされるモードにおいてより頻繁に送信される可能性がある。これは、第２のＤＰＣＣＨのゲート制御パターンを調整することによってなされ得る。図２１は、拡張された位相参照のための例示的な第２のＤＰＣＣＨのゲート制御パターンを示す。図２１においては、通常の位相参照に関する第２のＤＰＣＣＨのゲート制御パターンと比較して、１つの追加的な第２のＤＰＣＣＨのスロットが、通常の位相参照に関する第２のＤＰＣＣＨのゲート制御サイクルの間欠送信されないスロットの直前のスロットで送信される。拡張された位相参照のための１つのゲート制御サイクルの２つの第２のＤＰＣＣＨのスロットは、両方とも、ＮｏｄｅＢにおいて重みの生成のために使用され得る。
【０３１５】
拡張された第２のＤＰＣＣＨのゲート制御パターンと第２のＤＰＣＣＨの電力のブーストとの組み合わせが、使用される可能性がある。
【０３１６】
別の実施形態において、第２のＤＰＣＣＨは、第２のＤＰＣＣＨからの拡張された位相参照が必要とされる場合、より長いパイロットビットを使用する可能性があり、通常の位相参照と同じ第２のＤＰＣＣＨの送信電力が使用される可能性がある。例えば、第２のＤＰＣＣＨは、通常の位相参照のために６または８パイロットビットを含む可能性があり、１０ビットのパイロットを用いる第２のＤＰＣＣＨが拡張された位相参照のために使用される可能性がある。
【０３１７】
別の実施形態においては、第２のＤＰＣＣＨからの拡張された位相参照が必要とされるときに第２のＤＰＣＣＨに適用される同じプリコーディングベクトルでプリコーディングされる第３のパイロットチャネルＤＰＣＣＨ３が、送信される可能性がある。図２２は、拡張された位相参照の支援のための第３のＤＰＣＣＨの例示的な送信を示す。ＤＰＣＣＨ、Ｅ−ＤＰＤＣＨ、Ｅ−ＤＰＣＣＨ、ＤＰＤＣＨ、および／またはＨＳ−ＤＰＣＣＨはプリコーディングブロック２２０２によってプリコーディングされ、Ｓ−ＤＰＣＣＨおよび第３のＤＰＣＣＨ（ＤＰＣＣＨ３）はプリコーディングブロック２２０４によってプリコーディングされ、それぞれのプリコーディングされたアンテナの成分がコンバイナ２２０６、２２０８によって足され、そして、対応するアンテナに送られる。
【０３１８】
ＤＰＣＣＨ３に適用される利得係数βｃ３は、以下のように計算され得る。
βｃ３＝γ・βｅｃ          式（３９）
【０３１９】
ＭＩＭＯ動作に関しては、第２のＤＰＣＣＨが、検波のための位相参照を提供するためにすべての第２のストリームのＥ−ＤＰＤＣＨの送信とともに送信され得る。ＭＩＭＯ動作に関しては、第２のＥ−ＤＰＣＣＨが、検波のための位相参照として第２のストリームのＥ−ＤＰＤＣＨとともに第２のストリームで送信され得る。第２のＤＰＣＣＨと第２のＥ−ＤＰＣＣＨの組み合わせが、２つの参照信号を組み合わせることによってＥ−ＤＰＤＣＨの検波のための第２のストリームの位相参照を改善するために使用され得る。改善された位相参照のためのこの組み合わせは、第２のＤＰＣＣＨがＥ−ＤＰＤＣＨの送信のたびに送信されるか、またはＣＬＴＤの場合に関して上で説明されたゲート制御パターンで送信される場合に使用され得る。
【０３２０】
プリコーディングの推定のためのチャネル推定の精度が、ブーストが使用されない下位の変調に関するチャネル推定の精度よりも高い必要がないＣＬＴＤに関する別の実施形態において、第２のＤＰＣＣＨの送信電力は、Ｅ−ＤＰＣＣＨの電力が上位の変調の検波のためのより良好なチャネルの位相の推定を可能にするためにブーストされるとき、引き下げられる可能性がある。Ｅ−ＤＰＣＣＨの電力がブーストされるとき、変調の検波とプリコーディングの推定の両方のためのチャネル推定の品質が改善される。ネットワークがプリコーディング行列を選択するために改善されたチャネル推定が必要でない場合、第２のＤＰＣＣＨの電力は、プリコーディング行列の精度を維持しながら引き下げられる可能性がある。このデブースト（ｄｅ−ｂｏｏｓｔｉｎｇ）は、γまたはγｂｏｏｓｔに関して選択された値が送信電力の増加ではなく減少を生じることを除いて、ブーストに関して上で説明された実施形態のいずれかによって実現され得る。
【０３２１】
図２３は、位相の不連続性を緩和するための第２のＤＰＣＣＨのゲート制御パターンの例示的な実装を示す。プリコーディングの重みの変更は、数個のスロットにわたってチャネル推定でフィルタリングが必要とされるので、Ｅ−ＤＰＤＣＨの復調によって使用されるべき推定された有効なチャネルの位相の不連続性をもたらす可能性がある。この位相の不連続性の問題を軽減するために、ＰＣＩのフィードバックサイクルおよびＷＴＲＵがＰＣＩを適用する時間に応じて、第２のＤＰＣＣＨのゲート制御パターンは、最後の第２のＤＰＣＣＨのスロットが、ＷＴＲＵがＰＣＩを適用するときのスロットである可能性があるＮ個の連続する第２のＤＰＣＣＨのスロットが存在し得るように設計される可能性がある。これらのＮ個の連続する第２のＤＰＣＣＨのスロットは、サービングＮｏｄｅＢにおいて、重みの生成に加えて復調のためにも使用され得る。したがって、第２のＤＰＣＣＨのスロットの電力は、第１のＤＰＣＣＨと同じになるまでブーストされる可能性がある。
【０３２２】
実施形態
１．複数のアンテナでパイロットを送信するための、ＷＴＲＵで実施される方法。
【０３２３】
２．異なるチャネライゼーション符号を用いて複数のアンテナを介して主ＤＰＣＣＨおよび少なくとも１つの副ＤＰＣＣＨを送信するステップを含む実施形態１に記載の方法。
【０３２４】
３．副ＤＰＣＣＨがパイロットシンボルを搬送し、副ＤＰＣＣＨの最初の８つのパイロットシンボルが、主ＤＰＣＣＨの長さ８のパイロットシンボルと同じである実施形態２に記載の方法。
【０３２５】
４．ＷＴＲＵが圧縮モードで送信しているとき、副ＤＰＣＣＨで同じ数のパイロットシンボルが送信される実施形態２〜３のいずれか１つに記載の方法。
【０３２６】
５．通常モードと圧縮モードの両方において主ＤＰＣＣＨと副ＤＰＣＣＨの間で同じ合計パイロットエネルギーの比が維持される実施形態２〜４のいずれか１つに記載の方法。
【０３２７】
６．必要とされる送信電力がＷＴＲＵの最大許容送信電力を超えるという条件で、主ＤＰＣＣＨと副ＤＰＣＣＨとに等しく電力のスケーリングを適用するステップをさらに含む実施形態２〜５のいずれか１つに記載の方法。
【０３２８】
７．Ｅ−ＤＰＤＣＨを送信するステップをさらに含み、Ｅ−ＴＦＣの選択のためのＮＲＰＭが、副ＤＰＣＣＨの送信電力を考慮することによって実行される実施形態２〜６のいずれか１つに記載の方法。
【０３２９】
８．副ＤＰＣＣＨの送信電力が、主ＤＰＣＣＨの電力目標および上位レイヤからシグナリングされる利得係数に基づいて決定される実施形態７に記載の方法。
【０３３０】
９．副ＤＰＣＣＨに関する利得係数が、Ｅ−ＤＣＨのデータが副ストリームで送信されるという条件でブーストされる実施形態７〜８のいずれか１つに記載の方法。
【０３３１】
１０．副ＤＰＣＣＨに関する利得係数のブーストの量が、Ｅ−ＤＰＤＣＨの利得係数と、上位レイヤによってシグナリングされるスケーリングの係数と、上位レイヤによってシグナリングされるトラフィック対パイロット電力比との組み合わせに基づいて決定される実施形態９に記載の方法。
【０３３２】
１１．第２のストリームが送信されるとき、副ＤＰＣＣＨが、異なる電力設定で連続的に送信される実施形態２〜１０のいずれか１つに記載の方法。
【０３３３】
１２．副ＤＰＣＣＨが、２つの非ＦＳＷシンボルを含む１０個のパイロットシンボルを搬送する実施形態２〜１１のいずれか１つに記載の方法。
【０３３４】
１３．複数のアンテナでパイロットを送信するためのＷＴＲＵ。
【０３３５】
１４．複数のアンテナを備える実施形態１３に記載のＷＴＲＵ。
【０３３６】
１５．異なるチャネライゼーション符号を用いて複数のアンテナを介して主ＤＰＣＣＨおよび少なくとも１つの副ＤＰＣＣＨを送信するように構成された回路を備える実施形態１４に記載のＷＴＲＵ。
【０３３７】
１６．副ＤＰＣＣＨがパイロットシンボルを搬送し、副ＤＰＣＣＨの最初の８つのパイロットシンボルが、主ＤＰＣＣＨの長さ８のパイロットシンボルと同じである実施形態１５に記載のＷＴＲＵ。
【０３３８】
１７．ＷＴＲＵが圧縮モードで送信しているとき、副ＤＰＣＣＨで同じ数のパイロットシンボルが送信される実施形態１５〜１６のいずれか１つに記載のＷＴＲＵ。
【０３３９】
１８．通常モードと圧縮モードの両方において主ＤＰＣＣＨと副ＤＰＣＣＨの間で同じ合計パイロットエネルギーの比が維持される実施形態１５〜１７のいずれか１つに記載のＷＴＲＵ。
【０３４０】
１９．回路が、必要とされる送信電力がＷＴＲＵの最大許容送信電力を超えるという条件で、主ＤＰＣＣＨと副ＤＰＣＣＨとに等しく電力のスケーリングを適用するように構成される実施形態１５〜１８のいずれか１つに記載のＷＴＲＵ。
【０３４１】
２０．回路が、Ｅ−ＤＰＤＣＨを送信するように構成され、Ｅ−ＴＦＣの選択のためのＮＲＰＭが、副ＤＰＣＣＨの送信電力を考慮することによって実行される実施形態１５〜１９のいずれか１つに記載のＷＴＲＵ。
【０３４２】
２１．副ＤＰＣＣＨの送信電力が、主ＤＰＣＣＨの電力目標および上位レイヤからシグナリングされる利得係数に基づいて決定される実施形態２０に記載のＷＴＲＵ。
【０３４３】
２２．副ＤＰＣＣＨに関する利得係数が、Ｅ−ＤＣＨのデータが副ストリームで送信されるという条件でブーストされる実施形態１５〜２１のいずれか１つに記載のＷＴＲＵ。
【０３４４】
２３．副ＤＰＣＣＨに関する利得係数のブーストの量が、Ｅ−ＤＰＤＣＨの利得係数と、上位レイヤによってシグナリングされるスケーリングの係数と、上位レイヤによってシグナリングされるトラフィック対パイロット電力比との組み合わせに基づいて決定される実施形態２２に記載のＷＴＲＵ。
【０３４５】
２４．第２のストリームが送信されるとき、副ＤＰＣＣＨが、異なる電力設定で連続的に送信される実施形態１５〜２３のいずれか１つに記載のＷＴＲＵ。
【０３４６】
２５．副ＤＰＣＣＨが、２つの非ＦＳＷシンボルを含む１０個のパイロットシンボルを搬送する実施形態１５〜２４のいずれか１つに記載のＷＴＲＵ。
【０３４７】
特徴および要素が特定の組み合わせで、上で説明されているが、当業者は、各特徴または要素が、単独で、またはその他の特徴および要素との任意の組み合わせで使用され得ることを理解するであろう。加えて、本明細書に記載の方法は、コンピュータまたはプロセッサによる実行のためにコンピュータ可読媒体に組み込まれたコンピュータプログラム、ソフトウェア、またはファームウェアで実装され得る。コンピュータ可読媒体の例には、（有線または無線接続を介して送信される）電子的な信号と、コンピュータ可読ストレージ媒体とが挙げられる。コンピュータ可読ストレージ媒体の例には、読み出し専用メモリ（ＲＯＭ）、ランダムアクセスメモリ（ＲＡＭ）、レジスタ、キャッシュメモリ、半導体メモリデバイス、内蔵ハードディスクおよび取り外し可能なディスクなどの磁気媒体、光磁気媒体、ならびにＣＤ−ＲＯＭディスクおよびデジタルバーサタイルディスク（ＤＶＤ）などの光媒体が挙げられるがこれらに限定されない。ソフトウェアに関連するプロセッサが、ＷＴＲＵ、ＵＥ、端末、基地局、ＲＮＣ、または任意のホストコンピュータで使用するための無線周波数トランシーバを実装するために使用され得る。
【図１Ａ】
0005577470.tif 000066
【図１Ｂ】
0005577470.tif 000067
【図１Ｃ】
0005577470.tif 000068
【図２】
0005577470.tif 000069
【図３】
0005577470.tif 000070
【図４】
0005577470.tif 000071
【図５】
0005577470.tif 000072
【図６】
0005577470.tif 000073
【図７】
0005577470.tif 000074
【図８】
0005577470.tif 000075
【図９】
0005577470.tif 000076
【図１０】
0005577470.tif 000077
【図１１】
0005577470.tif 000078
【図１２】
0005577470.tif 000079
【図１３】
0005577470.tif 000080
【図１４】
0005577470.tif 000081
【図１５】
0005577470.tif 000082
【図１６】
0005577470.tif 000083
【図１７Ａ】
0005577470.tif 000084
【図１７Ｂ】
0005577470.tif 000085
【図１８】
0005577470.tif 000086
【図１９】
0005577470.tif 000087
【図２０】
0005577470.tif 000088
【図２１】
0005577470.tif 000089
【図２２】
0005577470.tif 000090
【図２３】
0005577470.tif 000091